(57)【要約】【課題】出金処理および回収処理を可能としつつ、機体の小型化、処理時間の短縮化および低コスト化が可能な硬貨処理機の提供。【解決手段】硬貨を貯留するとともに計数しつつ繰り出し可能な硬貨供給手段５１と、出金処理時に硬貨供給手段５１から繰り出された硬貨を搬送する搬送手段５６と、搬送手段５６を硬貨供給手段５１に対して相対的に移動させて退避させる移動退避手段を備え、回収処理時に、移動退避手段で硬貨供給手段５１に対して搬送手段５６を退避させることにより生じた配置スペースＳに、硬貨供給手段５１から繰り出された硬貨を収容する収容手段６５を配置する。【選択図】図１９
2010271912.tif 000002
【特許請求の範囲】
【請求項１】
硬貨を貯留するとともに計数しつつ繰り出し可能な硬貨供給手段と、
出金処理時に前記硬貨供給手段から繰り出された硬貨を搬送する搬送手段とを備えた硬貨処理機であって、
前記搬送手段を前記硬貨供給手段に対して相対的に移動させて退避させる移動退避手段を備え、
回収処理時に、前記移動退避手段で前記硬貨供給手段に対して前記搬送手段を退避させることにより生じた配置スペースに、前記硬貨供給手段から繰り出された硬貨を収容する収容手段を配置することを特徴とする硬貨処理機。
【請求項２】
前記硬貨供給手段は、硬貨を金種別に貯留するとともに金種別に計数しつつ金種別の繰出部から繰り出し可能であり、
前記収容手段は、前記硬貨供給手段の所定の一金種用の前記繰出部から繰り出された硬貨のみを収容可能な少なくとも一つの単金種用収容箱、または、前記硬貨供給手段のすべての前記繰出部から繰り出された硬貨を金種別に収容可能な単一の全金種用収容箱、または、前記硬貨供給手段のすべての前記繰出部から繰り出された硬貨を金種混合で収容可能な単一の一括収容箱であることを特徴とする請求項１に記載の硬貨処理機。
【請求項３】
前記移動退避手段は、前記搬送手段を上昇させることを特徴とする請求項１または２に記載の硬貨処理機。
【請求項４】
前記移動退避手段は、前記硬貨供給手段を下降させることを特徴とする請求項１または２に記載の硬貨処理機。
【請求項５】
前記配置スペースへの前記収容手段の配置状態を検知する検知手段が設けられていることを特徴とする請求項１乃至４のいずれか一項に記載の硬貨処理機。
【請求項６】
前記硬貨供給手段は、硬貨を金種別に貯留するとともに金種別に計数しつつ金種別の繰出部から繰り出し可能であり、
前記収容手段は、前記硬貨供給手段の所定の一金種用の前記繰出部から繰り出された硬貨のみを収容可能な少なくとも一つの単金種用収容箱であり、
前記検知手段は、金種別の前記単金種用収容箱の前記配置スペースへの配置状態を個別に検知可能であり、
前記単金種用収容箱の前記配置スペースへの配置が前記検知手段で検知された金種のみ前記硬貨供給手段から硬貨を繰り出す制御手段を有することを特徴とする請求項５に記載の硬貨処理機。
【請求項７】
前記硬貨供給手段は、硬貨を金種別に貯留するとともに金種別に計数しつつ金種別の繰出部から繰り出し可能であり、
前記収容手段は、前記硬貨供給手段の所定の一金種用の前記繰出部から繰り出された硬貨のみを収容可能な少なくとも一つの単金種用収容箱であり、
前記検知手段は、金種別の前記単金種用収容箱の前記配置スペースへの配置状態を個別に検知可能であり、
指定された金種用の前記単金種用収容箱の前記配置スペースへの配置が前記検知手段で検知された場合に前記硬貨供給手段から前記指定された金種の硬貨の繰り出しを行う一方、前記指定された金種用の前記単金種用収容箱の前記配置スペースへの配置が前記検知手段で検知されない場合に前記硬貨供給手段から前記指定された金種の硬貨の繰り出しを禁止してアラームを発生させる制御手段を有することを特徴とする請求項５に記載の硬貨処理機。
【請求項８】
前記収容手段には、前記硬貨供給手段から繰り出された硬貨を受け入れる受入口と、前記配置スペースへの配置時に前記受入口を開放し前記配置スペースからの取り外し時に前記受入口を閉塞する開閉手段とが設けられていることを特徴とする請求項１乃至７のいずれか一項に記載の硬貨処理機。
【発明の詳細な説明】
【技術分野】
【０００１】
本発明は、硬貨処理機に関する。
【背景技術】
【０００２】
硬貨処理機において、硬貨を金種別に貯留している供給部から、指示入力に応じた枚数の硬貨を計数しつつ出金する出金処理や、全硬貨を計数しつつ回収する回収処理等の複数の取引処理を行う場合、機内の常設の搬送ルートを適宜切り替えることによって、対応するようになっている（例えば、特許文献１参照）。
【先行技術文献】
【特許文献】
【０００３】
【特許文献１】特許第４０３４０６７号公報
【発明の概要】
【発明が解決しようとする課題】
【０００４】
しかしながら、上記のように、出金処理および回収処理のそれぞれの実行時に機内の常設の搬送ルートを適宜切り替えるものであると、これらの搬送ルートを設置するためのスペースが大きく必要になることから、機体が大型化してしまう。また、搬送ルートが複雑になり搬送距離が長くなるため、処理時間が長くなってしまう。さらに、搬送ルートが複雑になって搬送ルートを切り替えるためのゲート等の数も多く必要になり、コスト増になってしまう。
【０００５】
したがって、本発明は、出金処理および回収処理を可能としつつ、機体の小型化、処理時間の短縮化および低コスト化が可能な硬貨処理機の提供を目的とする。
【課題を解決するための手段】
【０００６】
上記目的を達成するために、請求項１に係る発明は、硬貨を貯留するとともに計数しつつ繰り出し可能な硬貨供給手段と、出金処理時に前記硬貨供給手段から繰り出された硬貨を搬送する搬送手段とを備えた硬貨処理機であって、前記搬送手段を前記硬貨供給手段に対して相対的に移動させて退避させる移動退避手段を備え、回収処理時に、前記移動退避手段で前記硬貨供給手段に対して前記搬送手段を退避させることにより生じた配置スペースに、前記硬貨供給手段から繰り出された硬貨を収容する収容手段を配置することを特徴とする。
【０００７】
請求項２に係る発明は、請求項１に係る発明において、前記硬貨供給手段は、硬貨を金種別に貯留するとともに金種別に計数しつつ金種別の繰出部から繰り出し可能であり、前記収容手段は、前記硬貨供給手段の所定の一金種用の前記繰出部から繰り出された硬貨のみを収容可能な少なくとも一つの単金種用収容箱、または、前記硬貨供給手段のすべての前記繰出部から繰り出された硬貨を金種別に収容可能な単一の全金種用収容箱、または、前記硬貨供給手段のすべての前記繰出部から繰り出された硬貨を金種混合で収容可能な単一の一括収容箱であることを特徴とする。
【０００８】
請求項３に係る発明は、請求項１または２に係る発明において、前記移動退避手段は、前記搬送手段を上昇させることを特徴とする。
【０００９】
請求項４に係る発明は、請求項１または２に係る発明において、前記移動退避手段は、前記硬貨供給手段を下降させることを特徴とする。
【００１０】
請求項５に係る発明は、請求項１乃至４のいずれか一項に係る発明において、前記配置スペースへの前記収容手段の配置状態を検知する検知手段が設けられていることを特徴とする。
【００１１】
請求項６に係る発明は、請求項５に係る発明において、前記硬貨供給手段は、硬貨を金種別に貯留するとともに金種別に計数しつつ金種別の繰出部から繰り出し可能であり、前記収容手段は、前記硬貨供給手段の所定の一金種用の前記繰出部から繰り出された硬貨のみを収容可能な少なくとも一つの単金種用収容箱であり、前記検知手段は、金種別の前記単金種用収容箱の前記配置スペースへの配置状態を個別に検知可能であり、前記単金種用収容箱の前記配置スペースへの配置が前記検知手段で検知された金種のみ前記硬貨供給手段から硬貨を繰り出す制御手段を有することを特徴とする。
【００１２】
請求項７に係る発明は、請求項５に係る発明において、前記硬貨供給手段は、硬貨を金種別に貯留するとともに金種別に計数しつつ金種別の繰出部から繰り出し可能であり、
前記収容手段は、前記硬貨供給手段の所定の一金種用の前記繰出部から繰り出された硬貨のみを収容可能な少なくとも一つの単金種用収容箱であり、前記検知手段は、金種別の前記単金種用収容箱の前記配置スペースへの配置状態を個別に検知可能であり、指定された金種用の前記単金種用収容箱の前記配置スペースへの配置が前記検知手段で検知された場合に前記硬貨供給手段から前記指定された金種の硬貨の繰り出しを行う一方、前記指定された金種用の前記単金種用収容箱の前記配置スペースへの配置が前記検知手段で検知されない場合に前記硬貨供給手段から前記指定された金種の硬貨の繰り出しを禁止してアラームを発生させる制御手段を有することを特徴とする。
【００１３】
請求項８に係る発明は、請求項１乃至７のいずれか一項に係る発明において、前記収容手段には、前記硬貨供給手段から繰り出された硬貨を受け入れる受入口と、前記配置スペースへの配置時に前記受入口を開放し前記配置スペースからの取り外し時に前記受入口を閉塞する開閉手段とが設けられていることを特徴とする。
【発明の効果】
【００１４】
請求項１に係る発明によれば、出金処理時には、硬貨供給手段に対して搬送手段を退避させずに、硬貨供給手段で硬貨を計数しつつ繰り出すと、繰り出された硬貨を搬送手段で搬送することができる。他方、回収処理時には、移動退避手段で硬貨供給手段に対して搬送手段を退避させることにより生じる配置スペースに収容手段を配置した状態で、硬貨供給手段で硬貨を計数しつつ繰り出すと、繰り出された硬貨を、収容手段に収容することができる。よって、硬貨供給手段から搬送手段に硬貨を受け渡す出金処理と、硬貨供給手段から収容手段に硬貨を受け渡す回収処理とで、搬送手段および収容手段の配置用のスペースを共用できる。また、硬貨供給手段の繰り出し先に対して搬送手段および収容手段の配置を切り替えることから、いずれの取引処理も搬送距離が長くならず、また、搬送ルートも複雑にならない。したがって、出金処理および回収処理を可能としつつ、機体の小型化、処理時間の短縮化および低コスト化が可能となる。
【００１５】
請求項２に係る発明によれば、収容手段が、硬貨供給手段の所定の一金種用の繰出部から繰り出された硬貨のみを収容可能な少なくとも一つの単金種用収容箱である場合には、所望の少なくとも一金種の硬貨のみをこの金種数と同数の単金種用収容箱に収容することができ、また、収容手段が、硬貨供給手段のすべての繰出部から繰り出された硬貨を金種別に収容可能な単一の全金種用収容箱である場合には、全金種の硬貨を金種別に単一の全金種用収容箱に収容することができ、また、収容手段が、硬貨供給手段のすべての繰出部から繰り出された硬貨を金種混合で収容可能な単一の一括収容箱である場合には、全金種の硬貨を金種混合で単一の一括収容箱に収容することができる。
【００１６】
請求項３に係る発明によれば、移動退避手段が、搬送手段を昇降させることになるため、硬貨供給手段から収容手段に硬貨を受け渡す回収処理では使用されない搬送手段上にある硬貨搬送用のスペースに搬送手段を退避させることで、収容手段を配置する配置スペースを確保する。よって、スペース効率をさらに向上でき、さらなる機体の小型化が図れる。また、比較的小型・軽量の搬送手段を昇降させることになることから、移動退避手段を小型化および低コスト化することができる。
【００１７】
請求項４に係る発明によれば、移動退避手段が、硬貨供給手段を昇降させることになるため、硬貨供給手段から収容手段に硬貨を受け渡す回収処理では使用されないスペースが搬送手段下にある場合に、このスペースを配置スペースとして有効利用して収容手段を配置できる。
【００１８】
請求項５に係る発明によれば、収容手段の配置スペースへの配置状態を検知する検知手段が設けられているため、検知手段で配置スペースへの収容手段の配置が確認されると、硬貨供給手段から収容手段に硬貨を受け渡す回収処理を許容する等の制御が可能となる。
【００１９】
請求項６に係る発明によれば、制御手段が、単金種用収容箱の配置スペースへの配置が検知手段で検知された金種のみ硬貨供給手段から硬貨を繰り出すことになるため、配置スペースへ単金種用収容箱が配置されていない金種の硬貨が硬貨供給手段から繰り出されてしまうことを防止できる。
【００２０】
請求項７に係る発明によれば、制御手段が、指定された金種用の単金種用収容箱の配置スペースへの配置が検知手段で検知された場合に硬貨供給手段から指定された金種の硬貨の繰り出しを行う一方、指定された金種の硬貨用の単金種用収容箱の配置スペースへの配置が検知手段で検知されない場合に硬貨供給手段から指定された金種の硬貨の繰り出しを禁止してアラームを発生させるため、配置スペースへ単金種用収容箱が配置されていない金種の硬貨が硬貨供給手段から繰り出されてしまうことを防止できる上、必要な金種の硬貨用の単金種用収容箱が配置スペースに配置されていないことを報知できる。
【００２１】
請求項８に係る発明によれば、開閉手段が、収容手段の配置スペースへの配置時に受入口を開放し収容手段の配置スペースからの取り外し時に受入口を閉塞するため、収容手段を取り出した後、収容した硬貨が受入口から取り出されることを防止できる。
【図面の簡単な説明】
【００２２】
【図１】本発明の第１実施形態に係る硬貨処理機を示す斜視図である。
【図２】本発明の第１実施形態に係る硬貨処理機の制御系を示すブロック図である。
【図３】本発明の第１実施形態に係る硬貨処理機の上部構成を示す平面図である。
【図４】本発明の第１実施形態に係る硬貨処理機のシュートを示す平面図である。
【図５】本発明の第１実施形態に係る硬貨処理機を示す透過正面図である。
【図６】本発明の第１実施形態に係る硬貨処理機の貯留搬送部を示す平面図である。
【図７】本発明の第１実施形態に係る硬貨処理機を示す透過正面図である。
【図８】本発明の第１実施形態に係る硬貨処理機の返却箱が装着された返却部を示す平面図である。
【図９】本発明の第１実施形態に係る硬貨処理機の金種別出金箱が装着された返却部を示す平面図である。
【図１０】本発明の第１実施形態に係る硬貨処理機のシュートを示す平面図である。
【図１１】本発明の第１実施形態に係る硬貨処理機を示す透過正面図である。
【図１２】本発明の第１実施形態に係る硬貨処理機の収納庫を示す平面図である。
【図１３】本発明の第１実施形態に係る硬貨処理機を示す透過正面図である。
【図１４】本発明の第１実施形態に係る硬貨処理機の硬貨供給部を示す平面図である。
【図１５】本発明の第１実施形態に係る硬貨処理機を示す透過正面図である。
【図１６】本発明の第１実施形態に係る硬貨処理機のゲート近傍を示す正面図であって、（ａ）は第１の案内状態を、（ｂ）は第２の案内状態を示すものである。
【図１７】本発明の第１実施形態に係る硬貨処理機の硬貨供給部およびベルトコンベア等を示す平面図である。
【図１８】本発明の第１実施形態に係る硬貨処理機のゲートを示す平面図である。
【図１９】本発明の第１実施形態に係る硬貨処理機を示す透過正面図である。
【図２０】本発明の第１実施形態に係る硬貨処理機の載置台および全金種用収容箱を示す平面図である。
【図２１】本発明の第１実施形態に係る硬貨処理機の載置台および一括収容箱を示す平面図である。
【図２２】本発明の第１実施形態に係る硬貨処理機の載置台および単金種用収容箱を示す平面図である。
【図２３】本発明の第１実施形態に係る硬貨処理機を示す透過正面図である。
【図２４】本発明の第１実施形態に係る硬貨処理機を示す透過正面図である。
【図２５】本発明の第１実施形態に係る硬貨処理機を示す透過正面図である。
【図２６】本発明の第１実施形態に係る硬貨処理機を示す透過正面図である。
【図２７】本発明の第１実施形態に係る硬貨処理機を示す透過正面図である。
【図２８】本発明の第１実施形態に係る硬貨処理機を示す透過正面図である。
【図２９】本発明の第２実施形態に係る硬貨処理機を示す透過正面図である。
【図３０】本発明の第２実施形態に係る硬貨処理機を示す透過正面図である。
【図３１】本発明の第２実施形態に係る硬貨処理機を示す透過正面図である。
【図３２】本発明の第３実施形態に係る硬貨処理機を示す透過正面図である。
【図３３】本発明の第３実施形態に係る硬貨処理機を示す透過正面図である。
【図３４】本発明の第３実施形態に係る硬貨処理機を示す透過正面図である。
【図３５】本発明の第３実施形態に係る硬貨処理機の載置台および全金種用収容箱を示す平面図である。
【図３６】本発明の第３実施形態に係る硬貨処理機の載置台および一括収容箱を示す平面図である。
【図３７】本発明の第３実施形態に係る硬貨処理機の載置台および単金種用収容箱を示す平面図である。
【発明を実施するための形態】
【００２３】
「第１実施形態」
本発明の第１実施形態に係る硬貨処理機を図１〜図２８を参照して以下に説明する。
【００２４】
第１実施形態に係る硬貨処理機１は、機外から投入されたバラ硬貨を識別しつつ計数して金種別に収納するとともに、収納した硬貨を金種別に出金可能な硬貨入出金機であり、図１に示すように、硬貨が投入される硬貨投入繰出部１０を上部に有している。また、機体の上部の前面側には、操作者の操作入力を受けつけるとともに操作者に表示を行うタッチパネル式の図２にも示す操作表示部１１および印字部１５が設けられている。
【００２５】
硬貨投入繰出部１０は、図３に示すように、水平に配置された回転円盤１２と、この回転円盤１２の外縁部から鉛直に立ち上がる、一部が切り欠かれた略円筒状の側壁部１３と、回転円盤１２との間に硬貨一枚分の隙間をもって側壁部１３の切欠部分に設けられた分別環１４と、回転円盤１２を駆動する図２に示す硬貨投入繰出駆動部１０Ａとを有している。
【００２６】
機外からこの硬貨投入繰出部１０内にバラ硬貨が投入されることになり、この状態で回転円盤１２が図３における反時計回りに回転すると、その遠心力によって硬貨が側壁部１３の内周面に沿って運ばれ、分別環１４との隙間を介して一枚ずつに分離されて硬貨投入繰出部１０から外に順次繰り出される。
【００２７】
硬貨投入繰出部１０の硬貨繰出位置には、硬貨投入繰出部１０から繰り出された硬貨を一列状に案内する搬送路２０と、搬送路２０上の硬貨を搬送するフィードユニット２１と、フィードユニット２１を駆動する図２に示すフィードユニット駆動部２１Ａとが設けられている。
【００２８】
図３に示すように、搬送路２０は、回転円盤１２の接線方向に沿い且つ機体前後方向に沿って配置された第１通路部２３と、この第１通路部２３の回転円盤１２とは反対側から直交方向（機体左右方向）に延出する第２通路部２４と、この第２通路部２４の第１通路部２３とは反対側から直交方向（機体前後方向）に延出する第３通路部２５とを有しており、第１通路部２３には、搬送中の硬貨の金種を識別しつつ計数する入金計数部２７が設けられている。
【００２９】
第２通路部２４には、硬貨を落下可能であり落下した硬貨を機外に取出可能に案内するリジェクト口２８と、入金計数部２７で識別不能と識別された硬貨をリジェクト口２８に落下させるリジェクト部２９と、リジェクト部２９を駆動する図２に示すリジェクト駆動部２９Ａとが設けられている。図３に示すリジェクト口２８から落下した硬貨は、図１に示す機体前面の取出口３０に案内される。
【００３０】
図３に示すように、第３通路部２５には、入金計数部２７で計数された硬貨を金種別に選別する選別部３２が設けられている。この選別部３２は、硬貨を落下可能な金種別の選別口３２ａ〜３２ｆが第３通路部２５の延在方向である機体前後方向に並べられて設けられている。これら選別口３２ａ〜３２ｆは、硬貨を小さい外径のものから落下させるようになっており、最も上流側の選別口３２ａが１円硬貨を、その下流側の選別口３２ｂが５０円硬貨を、その下流側の選別口３２ｃが５円硬貨を、その下流側の選別口３２ｄが１００円硬貨を、その下流側の選別口３２ｅが１０円硬貨を、その下流側の選別口３２ｆが５００円硬貨を、それぞれ別々に落下させるようになっている。各選別口３２ａ〜３２ｆの直前位置には硬貨を検知する硬貨検知センサ３３ａ〜３３ｆが設けられており、硬貨検知センサ３３ａ〜３３ｆの隣り合うもの同士の検知枚数の差から、選別口３２ａ〜３２ｆのうちの間にあるものから落下した硬貨の数を計数するようになっている。
【００３１】
フィードユニット２１は、硬貨投入繰出部１０から繰り出された硬貨を上側から搬送路２０に押し付けて搬送することになり、この搬送中、硬貨は、まず、入金計数部２７で識別され計数されることになる。そして、入金計数部２７で識別不能であった硬貨が、リジェクト部２９によってリジェクト口２８から落下させられることになり、それ以外の硬貨が、選別部３２の金種別の選別口３２ａ〜３２ｆの対応するものから落下する。
【００３２】
選別口３２ａ〜３２ｆの下側には、選別部３２で選別された硬貨を金種別に案内する図４に示すシュート３４が設けられている。シュート３４は上下に開口する金種別の角筒状の案内部３４ａ〜３４ｆが機体前後方向に並んで一体に形成されている。
【００３３】
シュート３４の下側には、選別部３２で選別されシュート３４で案内された硬貨を金種別に一時貯留させる図５に示す貯留搬送部３５が設けられている。貯留搬送部３５は、機体左右方向に水平移動可能となっており、図６に示すように、上下に開口する金種別の略角筒状の区画壁部３６ａ〜３６ｆが機体前後方向に並んで一体に形成された貯留搬送部本体３６と、貯留搬送部本体３６のすべての区画壁部３６ａ〜３６ｆの下部開口部を開閉可能な図５にも示す底板３７とを有している。貯留搬送部本体３６は図２に示す貯留搬送部本体駆動部３６Ａによって駆動され、底板３７は図２に示す底板駆動部３７Ａによって駆動されることになる。これら貯留搬送部本体３６と底板３７とはそれぞれ単独で水平移動可能であるとともに一体でも水平移動可能となっている。
【００３４】
ここで、貯留搬送部３５の貯留搬送部本体３６が選別口３２ａ〜３２ｆの鉛直下方の第１の位置に位置する図５に示す状態で、区画壁部３６ａ〜３６ｆが、案内部３４ａ〜３４ｆに対し一対一で対応して鉛直下方に位置することになり、案内部３４ａ〜３４ｆが選別口３２ａ〜３２ｆに対し一対一で対応して鉛直下方に位置することになる。よって、この状態で、選別口３２ａから落下する硬貨を案内部３４ａを介して区画壁部３６ａが、選別口３２ｂから落下する硬貨を案内部３４ｂを介して区画壁部３６ｂが、選別口３２ｃから落下する硬貨を案内部３４ｃを介して区画壁部３６ｃが、選別口３２ｄから落下する硬貨を案内部３４ｄを介して区画壁部３６ｄが、選別口３２ｅから落下する硬貨を案内部３４ｅを介して区画壁部３６ｅが、選別口３２ｆから落下する硬貨を案内部３４ｆを介して区画壁部３６ｆが、それぞれ別々に受け入れることになる。
【００３５】
これにより、底板３７が閉状態とされた貯留搬送部３５は、図６に示すように、区画壁部３６ａと底板３７とで構成される一時貯留部３８ａと、区画壁部３６ｂと底板３７とで構成される一時貯留部３８ｂと、区画壁部３６ｃと底板３７とで構成される一時貯留部３８ｃと、区画壁部３６ｄと底板３７とで構成される一時貯留部３８ｄと、区画壁部３６ｅと底板３７とで構成される一時貯留部３８ｅと、区画壁部３６ｆと底板３７とで構成される一時貯留部３８ｆとに、硬貨を金種別に分類した状態で一時貯留させることになる。なお、貯留搬送部３５が水平移動可能となっていることで、金種別の一時貯留部３８ａ〜３８ｆも水平移動可能となっている。
【００３６】
第１の位置に位置する貯留搬送部３５つまり一時貯留部３８ａ〜３８ｆの鉛直下方には、図７に示すように底板３７が開くことで第１の位置にある一時貯留部３８ａ〜３８ｆから硬貨を機外返却可能に受け入れる返却部４０が設けられている。返却部４０には、一時貯留部３８ａ〜３８ｆから硬貨を受け入れる返却箱４１が着脱可能に設けられている。返却箱４１は、図８に示すように、金種別に区画されておらず、第１の位置に位置する一時貯留部３８ａ〜３８ｆの底板３７が開くと、一時貯留部３８ａ〜３８ｆに一時貯留されていたすべての硬貨を一括して金種混合の状態で受け入れる。
【００３７】
ここで、返却部４０には、返却箱４１に換えて、図９に示す金種別出金箱４３が装着可能となっている。この金種別出金箱４３には、上方にのみ開口する金種別の有底角筒状の出金収容部４３ａ〜４３ｆが一体に、返却部４０に装着された状態で機体前後方向に並ぶように形成されており、第１の位置に位置する一時貯留部３８ａ〜３８ｆの底板３７が開くと、これら一時貯留部３８ａ〜３８ｆに一時貯留されていた硬貨を金種別に受け入れる。つまり、図６に示す一時貯留部３８ａの硬貨を図９に示す出金収容部４３ａに、一時貯留部３８ｂの硬貨を出金収容部４３ｂに、一時貯留部３８ｃの硬貨を出金収容部４３ｃに、一時貯留部３８ｄの硬貨を出金収容部４３ｄに、一時貯留部３８ｅの硬貨を出金収容部４３ｅに、一時貯留部３８ｆの硬貨を出金収容部４３ｆに、それぞれ別々に受け入れる。また、返却部４０には、図８に示すように返却箱４１が装着されているのか、図９に示すように金種別出金箱４３が装着されているのかを確認するための箱種検出センサ４４が設けられている。
【００３８】
第１の位置と隣り合う第２の位置に位置する貯留搬送部３５の下方には、図１０に示すように、上下に開口する金種別の案内部４５ａ〜４５ｆが機体前後方向に一体に並設されたシュート４５が設けられており、図１１に示すように、シュート４５および返却部４０の下方には、第２の位置にある一時貯留部３８ａ〜３８ｆからシュート４５を介して硬貨を受け入れて金種別に収納する着脱可能な収納庫４８が設けられている。この収納庫４８には、図１２に示すように、上方にのみ開口する金種別の有底角筒状の収納部４８ａ〜４８ｆが機体前後方向に並んで一体に形成されており、図１１に示すように、第２の位置に位置する一時貯留部３８ａ〜３８ｆの底板３７が開くと、第２の位置に位置する一時貯留部３８ａ〜３８ｆに一時貯留されていた硬貨を金種別に受け入れる。つまり、一時貯留部３８ａの硬貨を案内部４５ａを介して収納部４８ａに、一時貯留部３８ｂの硬貨を案内部４５ｂを介して収納部４８ｂに、一時貯留部３８ｃの硬貨を案内部４５ｃを介して収納部４８ｃに、一時貯留部３８ｄの硬貨を案内部４５ｄを介して収納部４８ｄに、一時貯留部３８ｅの硬貨を案内部４５ｅを介して収納部４８ｅに、一時貯留部３８ｆの硬貨を案内部４５ｆを介して収納部４８ｆに、それぞれ別々に受け入れる。なお、収納庫４８は出金はしない。
【００３９】
図１３に示すように第２の位置の第１の位置とは反対の第３の位置に位置する一時貯留部３８ａ〜３８ｆと水平方向に重なる位置には、鉛直方向に昇降する硬貨供給部（硬貨供給手段）５１が設けられている。硬貨供給部５１は、図２に示す硬貨供給部駆動部５１Ａによって駆動され、図１３に示すように第３の位置に位置する一時貯留部３８ａ〜３８ｆの直下となる所定高さの下側位置にあるとき、これら一時貯留部３８ａ〜３８ｆから硬貨を受け入れて金種別に出金可能に収納する。この硬貨供給部５１には、図１４に示すように、上方に開口する金種別の有底角筒状の出金収納部５２ａ〜５２ｆが機体前後方向に並んで一体に形成されており、第３の位置に位置する一時貯留部３８ａ〜３８ｆの底板３７が図１３に示すように開いた状態で、これら一時貯留部３８ａ〜３８ｆに一時貯留されていた硬貨を、直下に位置する出金収納部５２ａ〜５２ｆで金種別に受け入れる。つまり、一時貯留部３８ａの硬貨を出金収納部５２ａに、一時貯留部３８ｂの硬貨を出金収納部５２ｂに、一時貯留部３８ｃの硬貨を出金収納部５２ｃに、一時貯留部３８ｄの硬貨を出金収納部５２ｄに、一時貯留部３８ｅの硬貨を出金収納部５２ｅに、一時貯留部３８ｆの硬貨を出金収納部５２ｆに、それぞれ別々に受け入れる。
【００４０】
以上により、金種別の出金収納部５２ａ〜５２ｆは、第３の位置にある金種別の一時貯留部３８ａ〜３８ｆの直下の下側位置に位置可能であり、この位置と図１５に示す一時貯留部３８ａ〜３８ｆよりも上側の所定高さの上側位置との間で鉛直移動可能となっている。
【００４１】
図１４に示すように、金種別の出金収納部５２ａ〜５２ｆの下部には、収納している硬貨を、金種を識別し計数しつつシュート４５等の方向に繰り出す金種別の計数繰出部（繰出部）５３ａ〜５３ｆがそれぞれ別々に設けられている。つまり、計数繰出部５３ａが出金収納部５２ａの硬貨を、計数繰出部５３ｂが出金収納部５２ｂの硬貨を、計数繰出部５３ｃが出金収納部５２ｃの硬貨を、計数繰出部５３ｄが出金収納部５２ｄの硬貨を、計数繰出部５３ｅが出金収納部５２ｅの硬貨を、計数繰出部５３ｆが出金収納部５２ｆの硬貨を、それぞれ金種を識別し（言い換えれば金種が正常であるか否かを識別し）、計数しつつ指定された枚数だけ繰り出す。以上により、硬貨供給部５１は、出金収納部５２ａ〜５２ｆによって硬貨を金種別に貯留するとともに、金種別の計数繰出部５３ａ〜５３ｆによって硬貨を金種別に計数しつつ同じ方向に繰り出し可能となっている。
【００４２】
図１５および図１６に示すように、硬貨供給部５１が上側位置にあるとき、同じく所定高さの上側位置にある出金収納部５２ａ〜５２ｆから繰り出された硬貨を案内するゲート（搬送手段）５５が、上側位置にある硬貨供給部５１のシュート４５側に設けられており、このゲート５５のさらにシュート４５側には、出金収納部５２ａ〜５２ｆから繰り出された硬貨を受け入れて搬送するベルトコンベア（搬送手段）５６が、図１７に示すように、出金収納部５２ａ〜５２ｆの並設方向（機体前後方向）に延在して配置されている。ゲート５５は、図２に示すゲート駆動部５５Ａで駆動されて揺動し、ベルトコンベア５６は、図２に示すベルトコンベア搬送駆動部５６Ａで駆動されて硬貨を搬送する。
【００４３】
機体前面側には、ベルトコンベア５６で搬送されてきた硬貨を機外に取り出し可能に受け入れる図１に示す出金部５７が設けられている。出金部５７は、着脱可能な出金箱５８を有しており、出金箱５８は金種別に区画されておらず、出金収納部５２ａ〜５２ｆから同時に繰り出された硬貨を、ベルトコンベア５６を介して一括して金種混合の状態で受け入れる。
【００４４】
ゲート５５は、図１８に示すように、金種別の角筒状の案内部５５ａ〜５５ｆが機体前後方向に並設されており、揺動することにより、図１６（ａ）に示すように緩く傾斜して、上側位置にある出金収納部５２ａ〜５２ｆから計数繰出部５３ａ〜５３ｆによって繰り出された硬貨をベルトコンベア５６上に案内する第１の案内状態と、図１６（ｂ）に示すように大きく揺動して、上側位置にある出金収納部５２ａ〜５２ｆから計数繰出部５３ａ〜５３ｆによって繰り出された硬貨を出金収納部５２ａ〜５２ｆの直下の第３の位置にある一時貯留部３８ａ〜３８ｆに案内する第２の案内状態とに切り替えられる。
【００４５】
第２の案内状態にあるとき、ゲート５５は、出金収納部５２ａから計数繰出部５３ａで計数され繰り出された硬貨を案内部５５ａで一時貯留部３８ａに、出金収納部５２ｂから計数繰出部５３ｂで計数され繰り出された硬貨を案内部５５ｂで一時貯留部３８ｂに、出金収納部５２ｃから計数繰出部５３ｃで計数され繰り出された硬貨を案内部５５ｃで一時貯留部３８ｃに、出金収納部５２ｄから計数繰出部５３ｄで計数され繰り出された硬貨を案内部５５ｄで一時貯留部３８ｄに、出金収納部５２ｅから計数繰出部５３ｅで計数され繰り出された硬貨を案内部５５ｅで一時貯留部３８ｅに、出金収納部５２ｆから計数繰出部５３ｆで計数され繰り出された硬貨を案内部５５ｆで一時貯留部３８ｆに、それぞれ別々に案内する。
【００４６】
以上により、ゲート５５は、上側位置にある金種別の出金収納部５２ａ〜５２ｆがそれぞれ計数繰出部５３ａ〜５３ｆで計数しつつ繰り出した硬貨を、揺動することによりベルトコンベア５６、および第３の位置にある金種別の一時貯留部３８ａ〜３８ｆのいずれかに選択的に案内する。
【００４７】
上記したベルトコンベア５６は、水平状態を維持したまま、図２に示すベルトコンベア昇降駆動部（移動退避手段）５６Ｂによって昇降駆動される。つまり、ベルトコンベア５６は、図１５に示すように、所定の上側位置にある硬貨供給部５１の計数繰出部５３ａ〜５３ｆから繰り出され第１の案内状態にあるゲート５５で案内された硬貨を、搬送可能となるように上面上に受け入れる通常位置と、図１９に示すように、この通常位置から上昇してゲート５５よりも上側に退避する退避位置との間で昇降する。言い換えれば、ベルトコンベア昇降駆動部５６Ｂは、ベルトコンベア５６を硬貨供給部５１に対して相対的に移動させて退避させることになり、所定の上側位置にある硬貨供給部５１に対してベルトコンベア５６を所定の退避位置まで上昇させることで、ベルトコンベア５６を硬貨供給部５１から硬貨を受け入れる通常位置に対して退避させる。
【００４８】
そして、所定の上側位置にある硬貨供給部５１に対してベルトコンベア５６を退避位置に退避させることによりベルトコンベア５６の下側に生じた配置スペースＳには、硬貨供給部５１の計数繰出部５３ａ〜５３ｆから繰り出され第２の案内状態にあるゲート５５で案内される硬貨を収容する全金種用収容箱（収容手段）６５が配置可能となっている。
【００４９】
つまり、硬貨処理機１の背面側には、図２０に示すように、開閉扉６６で開閉される開口部６７が配置スペースＳと位置を合わせて設けられている。開放状態にある開口部６７には、機外から、載置台６９上の所定の載置位置に載置された状態で全金種用収容箱６５が挿入されることになり、載置台６９の前後端が硬貨処理機１の係止部７０に係止されることで全金種用収容箱６５が、図１９に示すように、上側位置にある硬貨供給部５１の計数繰出部５３ａ〜５３ｆから繰り出され第２の案内状態にあるゲート５５で案内される硬貨を収容可能に位置決めされる。なお、図２０に示す開閉扉６６は、載置台６９が開口部６７から硬貨処理機１に挿入された状態にあるとき、この載置台６９に当接することで、閉状態になることが規制されるようになっている。
【００５０】
全金種用収容箱６５は、硬貨供給部５１のすべての計数繰出部５３ａ〜５３ｆから繰り出された硬貨を金種別に収容可能な単一のもので、上方に開口する受入口６４ａ〜６４ｆを有する金種別の有底角筒状の回収収容部６５ａ〜６５ｆが一体に形成されており、硬貨処理機１に位置決めされた状態で、上側位置にある硬貨供給部５１の計数繰出部５３ａ〜５３ｆから繰り出され第２の案内状態にあるゲート５５の案内部５５ａ〜５５ｆで案内された硬貨を受入口６４ａ〜６４ｆから金種別に受け入れる。全金種用収容箱６５には、配置スペースＳへの配置時に受入口６４ａ〜６４ｆを開放し配置スペースＳからの取り外し時に受入口６４ａ〜６４ｆを閉塞する図示略のシャッタ（開閉手段）が設けられている。
【００５１】
つまり、全金種用収容箱６５は、計数繰出部５３ａから繰り出された硬貨を案内部５５ａを介して回収収容部６５ａに、計数繰出部５３ｂから繰り出された硬貨を案内部５５ｂを介して回収収容部６５ｂに、計数繰出部５３ｃから繰り出された硬貨を案内部５５ｃを介して回収収容部６５ｃに、計数繰出部５３ｄから繰り出された硬貨を案内部５５ｄを介して回収収容部６５ｄに、計数繰出部５３ｅから繰り出された硬貨を案内部５５ｅを介して回収収容部６５ｅに、計数繰出部５３ｆから繰り出された硬貨を案内部５５ｆを介して回収収容部６５ｆに、それぞれ別々に受け入れる。
【００５２】
また、図２１に示すように、載置台６９には、上記した全金種用収容箱６５とは別に、硬貨供給部５１のすべての計数繰出部５３ａ〜５３ｆから繰り出された硬貨を金種混合で収容可能な、上方に開口する単一の受入口７２を有する有底角筒状の単一の一括収容箱（収容手段）７３が載置可能となっている。そして、機外から、開放状態にある開口部６７に、載置台６９上の載置位置に載置された状態で一括収容箱７３が挿入されることになり、載置台６９の前後端が硬貨処理機１の係止部７０に係止されることで一括収容箱７３が、上側位置にある硬貨供給部５１の計数繰出部５３ａ〜５３ｆから繰り出され第２の案内状態にあるゲート５５のすべての案内部５５ａ〜５５ｆで案内される硬貨を受入口７２から収容可能に位置決めされる。一括収容箱７３には、配置スペースＳへの配置時に受入口７２を開放し配置スペースＳからの取り外し時に受入口７２を閉塞する図示略のシャッタ（開閉手段）が設けられている。
【００５３】
図２２に示すように、載置台６９には、上記した全金種用収容箱６５および一括収容箱７３とは別に、硬貨供給部５１の計数繰出部５３ａ〜５３ｆのうちの所定の一金種用の計数繰出部から繰り出された硬貨のみを収容可能な金種別の単金種用収容箱（収容手段）７５ａ〜７５ｆが選択的に少なくとも一つ載置可能となっている（図２２では、載置台６９にすべての単金種用収容箱７５ａ〜７５ｆを載置させた状態を示す）。個別の単金種用収容箱７５ａ〜７５ｆは、それぞれ、上方に開口する受入口７４ａ〜７４ｆを有する有底角筒状をなしており、載置台６９における個別の載置位置にそれぞれ載置されるようになっている。そして、機外から、開放状態にある開口部６７に、単金種用収容箱７５ａ〜７５ｆのうちの選択されたものが載置台６９上の各載置位置に載置された状態で挿入されることになり、載置台６９の前後端が硬貨処理機１の係止部７０に係止されることで、単金種用収容箱７５ａ〜７５ｆの載置台６９に載置されたものが、上側位置にある硬貨供給部５１の計数繰出部５３ａ〜５３ｆの対応する金種のものから繰り出され第２の案内状態にあるゲート５５の案内部５５ａ〜５５ｆの対応する金種のもので案内される硬貨を収容可能に位置決めされる。
【００５４】
つまり、載置台６９の単金種用収容箱７５ａ用の載置位置に単金種用収容箱７５ａが載置されている場合、計数繰出部５３ａから繰り出された硬貨を案内部５５ａを介して受入口７４ａから単金種用収容箱７５ａに受け入れることになり、載置台６９の単金種用収容箱７５ｂ用の載置位置に単金種用収容箱７５ｂが載置されている場合、計数繰出部５３ｂから繰り出された硬貨を案内部５５ｂを介して受入口７４ｂから単金種用収容箱７５ｂに受け入れることになり、載置台６９の単金種用収容箱７５ｃ用の載置位置に単金種用収容箱７５ｃが載置されている場合、計数繰出部５３ｃから繰り出された硬貨を案内部５５ｃを介して受入口７４ｃから単金種用収容箱７５ｃに受け入れることになり、載置台６９の単金種用収容箱７５ｄ用の載置位置に単金種用収容箱７５ｄが載置されている場合、計数繰出部５３ｄから繰り出された硬貨を案内部５５ｄを介して受入口７４ｄから単金種用収容箱７５ｄに受け入れることになり、載置台６９の単金種用収容箱７５ｅ用の載置位置に単金種用収容箱７５ｅが載置されている場合、計数繰出部５３ｅから繰り出された硬貨を案内部５５ｅを介して受入口７４ｅから単金種用収容箱７５ｅに受け入れることになり、載置台６９の単金種用収容箱７５ｆ用の載置位置に単金種用収容箱７５ｆが載置されている場合、計数繰出部５３ｆから繰り出された硬貨を案内部５５ｆを介して受入口７４ｆから単金種用収容箱７５ｆに受け入れることになる。単金種用収容箱７５ａ〜７５ｆには、配置スペースＳへの配置時に受入口７４ａ〜７４ｆを開放し配置スペースＳからの取り外し時に受入口７４ａ〜７４ｆを閉塞する図示略の個別のシャッタ（開閉手段）が設けられている。
【００５５】
ここで、硬貨処理機１には、図２に示すように、開閉扉６６の開閉状態を検知する開閉扉検知センサ（検知手段）８１と、載置台６９がその前後端において係止部７０に係止され適正に配置スペースＳに配置された状態にあるか否かを検知する載置台検知センサ（検知手段）８２と、載置台６９に載置されたものが全金種用収容箱６５であるか否かを検知する全金種用収容箱検知センサ（検知手段）８３と、載置台６９に載置されたものが一括収容箱７３であるか否かを検知する一括収容箱検知センサ（検知手段）８４と、載置台６９に載置されたものが単金種用収容箱７５ａであるか否かを検知する単金種用収容箱検知センサ（検知手段）８５ａと、載置台６９に載置されたものが単金種用収容箱７５ｂであるか否かを検知する単金種用収容箱検知センサ（検知手段）８５ｂと、載置台６９に載置されたものが単金種用収容箱７５ｃであるか否かを検知する単金種用収容箱検知センサ（検知手段）８５ｃと、載置台６９に載置されたものが単金種用収容箱７５ｄであるか否かを検知する単金種用収容箱検知センサ（検知手段）８５ｄと、載置台６９に載置されたものが単金種用収容箱７５ｅであるか否かを検知する単金種用収容箱検知センサ（検知手段）８５ｅと、載置台６９に載置されたものが単金種用収容箱７５ｆであるか否かを検知する単金種用収容箱検知センサ（検知手段）８５ｆとが設けられている。
【００５６】
つまり、これらの載置台検知センサ８２、全金種用収容箱検知センサ８３、一括収容箱検知センサ８４および単金種用収容箱検知センサ８５ａ〜８５ｆによって、配置スペースＳへの全金種用収容箱６５、一括収容箱７３および単金種用収容箱７５ａ〜７５ｆの配置状態を検知することになる。また、載置台検知センサ８２および単金種用収容箱検知センサ８５ａ〜８５ｆは、金種別の単金種用収容箱７５ａ〜７５ｆの配置スペースＳへの配置状態を個別に検知することになる。
【００５７】
次に、上記した硬貨処理機１の図２に示す制御部（制御手段）６０による制御内容を作動とともに説明する。なお、図５に示すように、貯留搬送部３５は第１の位置を待機位置としており、硬貨供給部５１は下側位置を待機位置としていて、ゲート５５は第１の案内状態を待機状態としている。
【００５８】
「入金処理」
硬貨投入繰出部１０に硬貨が投入されて操作表示部１１に入金処理を行う旨の操作が入力されると、制御部６０は、貯留搬送部３５を第１の位置に位置させた状態で、図２に示す硬貨投入繰出駆動部１０Ａおよびフィードユニット駆動部２１Ａによって、図３に示す回転円盤１２およびフィードユニット２１を駆動することになり、これにより、硬貨投入繰出部１０に投入された硬貨が、一枚ずつ分離された状態で一列状に搬送路２０を移動する。すると、硬貨は、まず、入金計数部２７で識別されて計数されることになり、入金計数部２７で識別不能であった硬貨が、リジェクト駆動部２９Ａで駆動されるリジェクト部２９によってリジェクト口２８から落下させられて図１に示す取出口３０に案内されることになり、それ以外の硬貨が、選別部３２の金種別の選別口３２ａ〜３２ｆの対応する金種のものから落下する。選別部３２から落下した硬貨は図５に示す第１の位置にある貯留搬送部３５の金種別の一時貯留部３８ａ〜３８ｆに金種別に一時貯留される。硬貨投入繰出部１０に投入された硬貨がなくなってから所定時間経過すると、制御部６０は、図２に示す硬貨投入繰出駆動部１０Ａおよびフィードユニット駆動部２１Ａによって、回転円盤１２およびフィードユニット２１を停止させて、入金処理を終了する。
【００５９】
「返却処理」
上記した入金処理の終了後、制御部６０は、操作表示部１１に計数結果を表示させることになり、操作表示部１１に入金処理を承認しないキャンセル操作が入力されると、箱種検出センサ４４で返却部４０に返却箱４１が装着されていることを条件として、底板駆動部３７Ａにより、待機状態にあって第１の位置にある貯留搬送部３５の底板３７のみを図７に示すように第２の位置に向け水平移動させて、第１の位置にある一時貯留部３８ａ〜３８ｆの底部を開放する。これにより、一時貯留部３８ａ〜３８ｆに一時貯留されていた硬貨が、その直下にある返却部４０の返却箱４１に一括して金種混合の状態で同時に受け渡される。操作者は、この返却箱４１を機体から取り出して返却された硬貨を受け取る。一時貯留部３８ａ〜３８ｆの底部を開放後、所定時間経過すると、制御部６０は、底板駆動部３７Ａによって底板３７を待機位置に戻す。
【００６０】
「第１の収納処理」
上記した入金処理の終了後、操作表示部１１に入金処理を承認する承認操作が入力されると、制御部６０は、出金収納部５２ａ〜５２ｆの硬貨の残量が多い場合には、貯留搬送部本体駆動部３６Ａによって、待機状態にあって第１の位置にある貯留搬送部３５の貯留搬送部本体３６のみを、図１１に示すように第２の位置に水平移動させることで、一時貯留部３８ａ〜３８ｆを第２の位置に位置させるとともに、これらの底部を開放する。これにより、一時貯留部３８ａ〜３８ｆに一時貯留されていた、入金処理を行った硬貨が、その直下にあるシュート４５を介して収納庫４８の金種別の収納部４８ａ〜４８ｆに金種別に分類された状態のまま同時に収納される。その後、制御部６０は、貯留搬送部本体駆動部３６Ａによって、貯留搬送部本体３６を待機位置に戻す。
【００６１】
「第２の収納処理」
上記した入金処理の終了後、操作表示部１１に入金処理を承認する承認操作が入力されると、制御部６０は、出金収納部５２ａ〜５２ｆの硬貨の残量が少ない場合には、待機状態にあって下側位置にある硬貨供給部５１に対して、底板駆動部３７Ａおよび貯留搬送部本体駆動部３６Ａによって、待機状態にあって第１の位置にあった貯留搬送部３５の貯留搬送部本体３６および底板３７を一体にした状態のまま第２の位置まで移動させ、底板駆動部３７Ａによって底板３７を停止させる一方、貯留搬送部本体駆動部３６Ａによって、図１３に示すように貯留搬送部本体３６を引き続き第３の位置まで移動させることで、一時貯留部３８ａ〜３８ｆを第３の位置に位置させるとともに、これらの底部を開放する。これにより、一時貯留部３８ａ〜３８ｆに一時貯留されていた、入金処理を行った硬貨が、その直下にある出金収納部５２ａ〜５２ｆに金種別に分類された状態のまま同時に収納される。その後、制御部６０は、底板駆動部３７Ａおよび貯留搬送部本体駆動部３６Ａによって、貯留搬送部３５を待機位置に戻す。
【００６２】
「第１の出金処理」
操作表示部１１に、出金処理として、金額あるいは金種別の枚数が入力され、金種混合出金放出モードが選択入力されると、制御部６０は、ベルトコンベア搬送駆動部５６Ａによってベルトコンベア５６を駆動するとともに、硬貨供給部駆動部５１Ａによって、待機状態にあって下側位置に位置する硬貨供給部５１つまり出金収納部５２ａ〜５２ｆを、図１５および図１６（ａ）に示すように上側位置に移動させる。そして、上側位置に位置する出金収納部５２ａ〜５２ｆから並行して、計数繰出部５３ａ〜５３ｆによって硬貨を識別計数しつつ設定枚数だけ、待機状態にあって第１の案内状態となっているゲート５５を介してベルトコンベア５６に繰り出させ、このベルトコンベア５６で出金部５７に搬送する第１の出金動作を行う。これにより、出金収納部５２ａ〜５２ｆから繰り出された硬貨が、出金部５７の出金箱５８に金種混合で収容され、操作者はこの出金箱５８から硬貨を取り出す。なお、設定されたすべての硬貨が出金部５７に搬送される第１の出金動作の終了後のタイミングで、制御部６０は、ベルトコンベア搬送駆動部５６Ａによってベルトコンベア５６を停止させて、硬貨供給部駆動部５１Ａによって、硬貨供給部５１を待機位置に戻す。なお、第１の出金動作の終了後のタイミングで、制御部６０は、計数繰出部５３ａ〜５３ｆの計数結果に基づく出金データを、操作表示部１１に表示させるとともに印字部１５で用紙に印字させる。
【００６３】
「第２の出金処理」
操作表示部１１に、出金処理として、金額あるいは金種別の枚数が入力され、金種別出金放出モードが選択入力されると、制御部６０は、返却部４０に金種別出金箱４３の装着を促す旨の案内表示を操作表示部１１に行わせる。そして、箱種検出センサ４４で、返却部４０に金種別出金箱４３が装着されたことを検出すると、制御部６０は、硬貨供給部駆動部５１Ａによって、待機状態にあって下側位置に位置する硬貨供給部５１つまり出金収納部５２ａ〜５２ｆを、図２３に示すように、上側位置に移動させた後、底板駆動部３７Ａおよび貯留搬送部本体駆動部３６Ａによって、待機状態にあって第１の位置にある貯留搬送部３５の貯留搬送部本体３６および底板３７、つまり一時貯留部３８ａ〜３８ｆを底部閉塞状態で第３の位置に移動させる。そして、制御部６０は、ゲート駆動部５５Ａによって、ゲート５５を第２の案内状態に揺動させた後、上側位置に位置する出金収納部５２ａ〜５２ｆから並行して、計数繰出部５３ａ〜５３ｆによって硬貨を識別計数しつつ設定枚数だけ、ゲート５５を介して直下の第３の位置にある一時貯留部３８ａ〜３８ｆに並行して金種別に繰り出させる第２の出金動作を行う。
【００６４】
そして、設定されたすべての硬貨が一時貯留部３８ａ〜３８ｆに受け渡される第２の出金動作の終了後のタイミングで、制御部６０は、底板駆動部３７Ａおよび貯留搬送部本体駆動部３６Ａによって、第３の位置にあった貯留搬送部３５の貯留搬送部本体３６および底板３７を第２の位置まで一体に移動させ、底板駆動部３７Ａによって底板３７を停止させる一方、貯留搬送部本体駆動部３６Ａによって貯留搬送部本体３６を第１の位置まで引き続き移動させることで、図２４に示すように、一時貯留部３８ａ〜３８ｆを第１の位置に移動させるとともに、これらの底部を開放する。これにより、一時貯留部３８ａ〜３８ｆに一時貯留されていた、出金処理を行った硬貨が、その直下にある返却部４０に装着された金種別出金箱４３の金種別の出金収容部４３ａ〜４３ｆに金種別に分類された状態のまま受け渡される。その後、底板駆動部３７Ａによって底板３７を第１の位置に戻すとともに硬貨供給部駆動部５１Ａによって硬貨供給部５１を下側の待機位置に戻す。これにより、出金収納部５２ａ〜５２ｆから繰り出された硬貨が、返却部４０の金種別出金箱４３に金種別に分類された状態で収容され、操作者はこの金種別出金箱４３から硬貨を取り出す。なお、第２の出金動作の終了後のタイミングで、制御部６０は、計数繰出部５３ａ〜５３ｆの計数結果に基づく出金データを、操作表示部１１に表示させるとともに印字部１５で用紙に印字させる。
【００６５】
「精査処理」
操作表示部１１に、精査処理を行う旨の操作が入力されると、制御部６０は、硬貨供給部駆動部５１Ａによって、待機状態にあって下側位置に位置する硬貨供給部５１つまり出金収納部５２ａ〜５２ｆを、図２５に示すように上側位置に移動させた後、底板駆動部３７Ａおよび貯留搬送部本体駆動部３６Ａによって、待機状態にあって第１の位置にある貯留搬送部３５の貯留搬送部本体３６および底板３７、つまり一時貯留部３８ａ〜３８ｆを第３の位置に移動させる。そして、制御部６０は、ゲート駆動部５５Ａによって、ゲート５５を第２の案内状態に揺動させた後、上側位置に位置する出金収納部５２ａ〜５２ｆから並行して、計数繰出部５３ａ〜５３ｆによってすべての硬貨を識別計数しつつゲート５５を介して直下の第３の位置にある一時貯留部３８ａ〜３８ｆに繰り出させる。つまり、金種別の出金収納部５２ａ〜５２ｆから計数繰出部５３ａ〜５３ｆによって計数され繰り出された硬貨をゲート５５によって直下にある金種別の一時貯留部３８ａ〜３８ｆに導く各金種同時の精査計数を行う。
【００６６】
そして、出金収納部５２ａ〜５２ｆからすべての硬貨が一時貯留部３８ａ〜３８ｆに受け渡される精査計数の終了後のタイミングで、計数繰出部５３ａ〜５３ｆの識別結果から、出金収納部５２ａ〜５２ｆのいずれにおいても異金種の硬貨が混入しておらず、金種に異常がなかったことが確認された場合には、制御部６０は、底板駆動部３７Ａおよび貯留搬送部本体駆動部３６Ａによって、図２６に示すように、第３の位置にあった貯留搬送部３５の貯留搬送部本体３６および底板３７を第２の位置まで一体に退避させ、この状態で、硬貨供給部駆動部５１Ａによって硬貨供給部５１つまり出金収納部５２ａ〜５２ｆを下側位置に位置させる。その後、図２７に示すように、底板３７は停止させた状態のまま貯留搬送部本体駆動部３６Ａによって貯留搬送部本体３６を第３の位置まで再び移動させることで、一時貯留部３８ａ〜３８ｆを第３の位置に移動させるとともに、これらの底部を開放する。これにより、一時貯留部３８ａ〜３８ｆに一時貯留されていた、精査計数を行った硬貨が、その直下にある出金収納部５２ａ〜５２ｆに金種別に分類された状態のまま同時に受け渡される。つまり、精査計数のために一時貯留されていた、金種別の一時貯留部３８ａ〜３８ｆの硬貨を直下にある金種別の出金収納部５２ａ〜５２ｆに導く各金種同時の装填収納を行う。その後、底板駆動部３７Ａおよび貯留搬送部本体駆動部３６Ａによって、貯留搬送部３５の貯留搬送部本体３６および底板３７を第１の位置に移動させて待機状態に戻す。なお、精査計数の終了後のタイミングで、制御部６０は、計数繰出部５３ａ〜５３ｆの計数結果に基づく精査計数データを、操作表示部１１に表示させるとともに印字部１５で用紙に印字させる。
【００６７】
他方、上記精査計数の終了後のタイミングで、出金収納部５２ａ〜５２ｆのいずれかにおいて異金種の硬貨が混入しており、金種に異常があったことが確認された場合に、制御部６０は、底板駆動部３７Ａおよび貯留搬送部本体駆動部３６Ａによって、第３の位置にあった貯留搬送部３５の貯留搬送部本体３６および底板３７を第２の位置まで一体に移動させ、図２８に示すように、底板駆動部３７Ａによって底板３７を停止させる一方、貯留搬送部本体駆動部３６Ａによって貯留搬送部本体３６をさらに第１の位置まで移動させることで、一時貯留部３８ａ〜３８ｆを第１の位置に移動させるとともに、これらの底部を開放する。これにより、一時貯留部３８ａ〜３８ｆに一時貯留されていた、金種の異常を含んでいた硬貨が、その直下にある返却部４０に装着された返却箱４１に受け渡される。また、第３の位置にあった貯留搬送部３５が第２の位置に移動した後のタイミングで、硬貨供給部駆動部５１Ａによって硬貨供給部５１つまり出金収納部５２ａ〜５２ｆを下側位置に位置させる。その後、制御部６０は、底板駆動部３７Ａによって底板３７を第１の位置に戻し貯留搬送部３５を待機状態に戻すとともに、返却箱４１の硬貨の硬貨投入繰出部１０への投入を促す表示を操作表示部１１に行わせる。
【００６８】
その後、返却箱４１が返却部４０から取り外されたことが箱種検出センサ４４で検出され、硬貨投入繰出部１０への硬貨の投入が検出されると、制御部６０は、上記した「入金処理」および「第２の収納処理」を実行する。つまり、硬貨投入繰出部１０に再投入された硬貨を入金計数部２７で計数しつつ選別部３２の選別口３２ａ〜３２ｆにて選別して金種別の一時貯留部３８ａ〜３８ｆに金種別に分類した状態で貯留させた後、金種別の一時貯留部３８ａ〜３８ｆを第３の位置に位置させて、下側位置に位置する金種別の出金収納部５２ａ〜５２ｆに装填収納する。
【００６９】
「金種別の回収処理」
操作表示部１１に、金種別の回収処理を行う旨の操作が入力されると、制御部６０は、硬貨供給部駆動部５１Ａによって、待機状態にあって下側位置に位置する硬貨供給部５１つまり出金収納部５２ａ〜５２ｆを、図１９に示すように、上側位置に移動させるとともに、ゲート駆動部５５Ａによって、ゲート５５を第２の案内状態に揺動させた後、ベルトコンベア昇降駆動部５６Ｂによって、ベルトコンベア５６を退避位置まで上昇させて配置スペースＳを形成する。なお、ゲート５５を第２の案内状態に揺動させるのは、上昇するベルトコンベア５６との干渉を避け、かつ配置スペースＳに案内の方向を向けるためであり、第１の案内状態にあっても、上記した干渉がなく、しかもこの案内の方向に配置スペースＳを確保できれば、ゲート５５を第２の案内状態に揺動させず第１の案内状態のままにできる。
【００７０】
その後、制御部６０は、操作表示部１１に、全金種用収容箱６５のセットを促す表示を行わせる。これを見て、操作者が、図２０に示すように、硬貨処理機１の背面側の開閉扉６６で開口部６７を開き、機外から、載置台６９上の設定位置に載置した状態で全金種用収容箱６５を挿入することになり、載置台６９の前後端を硬貨処理機１の係止部７０に係止させる。これにより、載置台６９および全金種用収容箱６５が、硬貨処理機１に位置決めされることになり、これらが位置決めされたことを、載置台検知センサ８２および全金種用収容箱検知センサ８３で検知すると、制御部６０は、上側位置に位置するすべての出金収納部５２ａ〜５２ｆから並行して、計数繰出部５３ａ〜５３ｆによってすべての硬貨を識別計数しつつゲート５５の案内部５５ａ〜５５ｆを介して全金種用収容箱６５の回収収容部６５ａ〜６５ｆに繰り出させる。つまり、金種別の出金収納部５２ａ〜５２ｆから計数繰出部５３ａ〜５３ｆによって計数され繰り出された硬貨を配置スペースＳにある全金種用収容箱６５の回収収容部６５ａ〜６５ｆに導く各金種同時の金種別の回収処理を行う。
【００７１】
そして、出金収納部５２ａ〜５２ｆからすべての硬貨が回収収容部６５ａ〜６５ｆに受け渡されると、制御部６０は、計数繰出部５３ａ〜５３ｆの計数結果を、操作表示部１１に表示させるとともに印字部１５で用紙に印字させ、全金種用収容箱６５の取り出しを促す表示を操作表示部１１に行わせる。これを見て、操作者が、硬貨処理機１から載置台６９および全金種用収容箱６５を取り出して開閉扉６６で開口部６７を閉じることになる。開閉扉検知センサ８１で開閉扉６６が閉じられたことが検知されると、制御部６０は、ベルトコンベア昇降駆動部５６Ｂによって、ベルトコンベア５６を下降させ通常位置に戻す。そして、制御部６０は、ゲート駆動部５５Ａによって、ゲート５５を第１の案内状態に揺動させるとともに、硬貨供給部駆動部５１Ａによって、硬貨供給部５１を待機位置に戻す。
【００７２】
以上により、操作者が取り出した全金種用収容箱６５には、硬貨が回収収容部６５ａ〜６５ｆに金種別に分類されて収容されているため、操作者は、硬貨供給部５１の出金収納部５２ａ〜５２ｆに金種別に収納されていた硬貨を金種別に分類した状態のまま計数して回収することになる。
【００７３】
「金種混合の回収処理」
操作表示部１１に、金種混合の回収処理を行う旨の操作が入力されると、制御部６０は、硬貨供給部駆動部５１Ａによって、待機状態にあって下側位置に位置する硬貨供給部５１つまり出金収納部５２ａ〜５２ｆを、図１９に示すように、上側位置に移動させるとともに、ゲート駆動部５５Ａによって、ゲート５５を第２の案内状態に揺動させた後、ベルトコンベア昇降駆動部５６Ｂによって、ベルトコンベア５６を退避位置まで上昇させて配置スペースＳを形成する。
【００７４】
その後、制御部６０は、操作表示部１１に、一括収容箱７３のセットを促す表示を行わせる。これを見て、操作者が、図２１に示すように、硬貨処理機１の背面側の開閉扉６６で開口部６７を開き、機外から、載置台６９上の設定位置に載置した状態で一括収容箱７３を挿入することになり、載置台６９の前後端を硬貨処理機１の係止部７０に係止させる。これにより、載置台６９および一括収容箱７３が、硬貨処理機１に位置決めされることになり、これらが位置決めされたことを、載置台検知センサ８２および一括収容箱検知センサ８４で検知すると、制御部６０は、上側位置に位置するすべての出金収納部５２ａ〜５２ｆから並行して、計数繰出部５３ａ〜５３ｆによってすべての硬貨を識別計数しつつゲート５５の案内部５５ａ〜５５ｆを介して一括収容箱７３に繰り出させる。つまり、金種別の出金収納部５２ａ〜５２ｆから計数繰出部５３ａ〜５３ｆによって計数され繰り出された硬貨を配置スペースＳにある一括収容箱７３に導く各金種同時の金種混合の回収処理を行う。
【００７５】
そして、出金収納部５２ａ〜５２ｆからすべての硬貨が一括収容箱７３に受け渡されると、制御部６０は、計数繰出部５３ａ〜５３ｆの計数結果を、操作表示部１１に表示させるとともに印字部１５で用紙に印字させ、一括収容箱７３の取り出しを促す表示を操作表示部１１に行わせる。これを見て、操作者が、硬貨処理機１から載置台６９および一括収容箱７３を取り出して開閉扉６６で開口部６７を閉じることになる。開閉扉検知センサ８１で開閉扉６６が閉じられたことが検知されると、制御部６０は、ベルトコンベア昇降駆動部５６Ｂによって、ベルトコンベア５６を下降させ通常位置に戻す。そして、ゲート駆動部５５Ａによって、ゲート５５を第１の案内状態に揺動させるとともに、硬貨供給部駆動部５１Ａによって、硬貨供給部５１を待機位置に戻す。
【００７６】
以上により、操作者が取り出した一括収容箱７３には、硬貨が金種混合で収容されているため、操作者は、硬貨供給部５１の出金収納部５２ａ〜５２ｆに金種別に収納されていた硬貨を金種別に計数して金種混合状態で回収することになる。
【００７７】
「指定金種の回収処理」
操作表示部１１に、指定金種の回収処理を行う旨の操作および回収の指定金種が入力されると、制御部６０は、硬貨供給部駆動部５１Ａによって、待機状態にあって下側位置に位置する硬貨供給部５１つまり出金収納部５２ａ〜５２ｆを、図１９に示すように上側位置に移動させるとともに、ゲート駆動部５５Ａによって、ゲート５５を第２の案内状態に揺動させた後、ベルトコンベア昇降駆動部５６Ｂによって、ベルトコンベア５６を退避位置まで上昇させて配置スペースＳを形成する。
【００７８】
その後、制御部６０は、操作表示部１１に、単金種用収容箱７５ａ〜７５ｆのうち指定金種の単金種用収容箱のセットを促す表示を行わせる。これを見て、操作者が、図２２に示すように、硬貨処理機１の背面側の開閉扉６６で開口部６７を開き、機外から、載置台６９上の設定位置に載置した状態で、単金種用収容箱７５ａ〜７５ｆのうち指定金種の単金種用収容箱を挿入することになり、載置台６９の前後端を硬貨処理機１の係止部７０に係止させる（図２２では、載置台６９にすべての単金種用収容箱７５ａ〜７５ｆを載置させた状態を示す）。これにより、載置台６９および単金種用収容箱７５ａ〜７５ｆのうち指定金種の単金種用収容箱のみが、硬貨処理機１に位置決めされることになり、これらが位置決めされたことを、載置台検知センサ８２および単金種用収容箱検知センサ８５ａ〜８５ｆで検知すると、制御部６０は、上側位置に位置する出金収納部５２ａ〜５２ｆのうち指定金種の出金収納部のみから並行して、計数繰出部５３ａ〜５３ｆのうち指定金種の計数繰出部のみによってすべての硬貨を識別計数しつつゲート５５の案内部５５ａ〜５５ｆのうち指定金種の案内部のみを介して単金種用収容箱７５ａ〜７５ｆのうち指定金種の単金種用収容箱に繰り出させる。つまり、金種別の出金収納部５２ａ〜５２ｆのうち指定金種の出金収納部のみから、計数繰出部５３ａ〜５３ｆのうち指定金種の計数繰出部のみによって計数され繰り出された硬貨を、単金種用収容箱７５ａ〜７５ｆのうち配置スペースＳにある指定金種の単金種用収容箱に導く各金種同時の指定金種の回収処理を行う。他方、単金種用収容箱検知センサ８５ａ〜８５ｆで、単金種用収容箱７５ａ〜７５ｆのうち指定金種の単金種用収容箱のみがセットされた状態にないことを検知した場合、操作表示部１１にアラームを発生させて指定金種の単金種用収容箱のみがセットされていることを検知するまで待機する。
【００７９】
指定金種の回収処理にて、出金収納部５２ａ〜５２ｆのうち指定金種の出金収納部のみからすべての硬貨が、単金種用収容箱７５ａ〜７５ｆのうち指定金種の単金種用収容箱に受け渡されると、制御部６０は、計数繰出部５３ａ〜５３ｆのうち指定金種の計数繰出部の計数結果を、操作表示部１１に表示させるとともに印字部１５で用紙に印字させ、単金種用収容箱７５ａ〜７５ｆのうち指定金種の単金種用収容箱の取り出しを促す表示を操作表示部１１に行わせる。これを見て、操作者が、硬貨処理機１から載置台６９および単金種用収容箱７５ａ〜７５ｆのうち指定金種の単金種用収容箱を取り出して開閉扉６６で開口部６７を閉じることになる。開閉扉検知センサ８１で開閉扉６６が閉じられたことが検知されると、制御部６０は、ベルトコンベア昇降駆動部５６Ｂによって、ベルトコンベア５６を下降させ通常位置に戻す。そして、ゲート駆動部５５Ａによって、ゲート５５を第１の案内状態に揺動させるとともに、硬貨供給部駆動部５１Ａによって、硬貨供給部５１を待機位置に戻す。
【００８０】
以上により、操作者が取り出した指定金種の単金種用収容箱には、硬貨が金種別に分類されて収容されているため、操作者は、硬貨供給部５１の出金収納部５２ａ〜５２ｆに金種別に収納されていた硬貨のうち指定金種の硬貨のみを金種別に分類した状態のまま計数して回収することになる。
【００８１】
上記により、制御部６０は、単金種用収容箱７５ａ〜７５ｆのうち指定された金種用の単金種用収容箱の配置スペースＳへの配置が載置台検知センサ８２および単金種用収容箱検知センサ８５ａ〜８５ｆで検知された場合に、硬貨供給部５１から指定された金種の硬貨の繰り出しを行う一方、単金種用収容箱７５ａ〜７５ｆのうち指定された金種用の単金種用収容箱の配置スペースＳへの配置が載置台検知センサ８２および単金種用収容箱検知センサ８５ａ〜８５ｆで検知されない場合に、硬貨供給部５１から指定された金種の硬貨の繰り出しを禁止してアラームを発生させる。
【００８２】
「セット金種の回収処理」
操作表示部１１に、セット金種の回収処理を行う旨の操作が入力されると、制御部６０は、硬貨供給部駆動部５１Ａによって、待機状態にあって下側位置に位置する硬貨供給部５１つまり出金収納部５２ａ〜５２ｆを、図１９に示すように、上側位置に移動させるとともに、ゲート駆動部５５Ａによって、ゲート５５を第２の案内状態に揺動させた後、ベルトコンベア昇降駆動部５６Ｂによって、ベルトコンベア５６を退避位置まで上昇させて配置スペースＳを形成する。
【００８３】
その後、制御部６０は、操作表示部１１に、単金種用収容箱７５ａ〜７５ｆのうち所望の単金種用収容箱のセットを促す表示を行わせる。これを見て、操作者が、図２２に示すように、硬貨処理機１の背面側の開閉扉６６で開口部６７を開き、機外から、載置台６９上の設定位置に載置した状態で、単金種用収容箱７５ａ〜７５ｆのうち所望の金種の単金種用収容箱を挿入することになり、載置台６９の前後端を硬貨処理機１の係止部７０に係止させる（図２２では、載置台６９にすべての単金種用収容箱７５ａ〜７５ｆを載置させた状態を示す）。これにより、載置台６９および単金種用収容箱７５ａ〜７５ｆのうち所望の金種の単金種用収容箱のみが、硬貨処理機１に位置決めされることになり、これらが位置決めされたことを、載置台検知センサ８２および単金種用収容箱検知センサ８５ａ〜８５ｆで検知すると、制御部６０は、上側位置に位置する出金収納部５２ａ〜５２ｆのうち、単金種用収容箱検知センサ８５ａ〜８５ｆで単金種用収容箱のセットが検知されたセット金種の出金収納部のみから並行して、計数繰出部５３ａ〜５３ｆのうちセット金種の計数繰出部のみによってすべての硬貨を識別計数しつつゲート５５の案内部５５ａ〜５５ｆのうちセット金種の案内部のみを介して単金種用収容箱７５ａ〜７５ｆのうちセット金種の単金種用収容箱に繰り出させる。つまり、金種別の出金収納部５２ａ〜５２ｆのうちセット金種の出金収納部のみから、計数繰出部５３ａ〜５３ｆのうちセット金種の計数繰出部のみによって計数され繰り出された硬貨を、単金種用収容箱７５ａ〜７５ｆのうち配置スペースＳにあるセット金種の単金種用収容箱に導く各金種同時のセット金種の回収処理を行う。
【００８４】
そして、出金収納部５２ａ〜５２ｆのうちセット金種の出金収納部のみからこれらに貯留されたすべての硬貨が、単金種用収容箱７５ａ〜７５ｆのうちのセット金種の単金種用収容箱に受け渡されると、制御部６０は、計数繰出部５３ａ〜５３ｆのうちセット金種の計数繰出部の計数結果を、操作表示部１１に表示させるとともに印字部１５で用紙に印字させ、単金種用収容箱７５ａ〜７５ｆのうちセット金種の単金種用収容箱の取り出しを促す表示を操作表示部１１に行わせる。これを見て、操作者が、硬貨処理機１から載置台６９および単金種用収容箱７５ａ〜７５ｆのうちセット金種の単金種用収容箱を取り出して開閉扉６６で開口部６７を閉じることになる。開閉扉検知センサ８１で開閉扉６６が閉じられたことが検知されると、制御部６０は、ベルトコンベア昇降駆動部５６Ｂによって、ベルトコンベア５６を通常位置まで下降させる。そして、ゲート駆動部５５Ａによって、ゲート５５を第１の案内状態に揺動させるとともに、硬貨供給部駆動部５１Ａによって、硬貨供給部５１を待機位置に戻す。
【００８５】
以上により、操作者が取り出した硬貨処理機１にセットされていた単金種用収容箱には、硬貨が金種別に分類されて収容されているため、操作者は、硬貨供給部５１の出金収納部５２ａ〜５２ｆに金種別に収納されていた硬貨のうちセット金種の硬貨のみを金種別に分類した状態のまま計数して回収することになる。
【００８６】
上記により、制御部６０は、単金種用収容箱７５ａ〜７５ｆのうち配置スペースＳへの配置が載置台検知センサ８２および単金種用収容箱検知センサ８５ａ〜８５ｆで検知された金種のみ硬貨供給部５１から硬貨の繰り出しを行わせることになる。
【００８７】
以上に述べた第１実施形態の硬貨処理機１によれば、出金処理時には、所定の上側位置にある硬貨供給部５１に対してベルトコンベア５６を退避させずに、硬貨供給部５１で硬貨を計数しつつ繰り出すと、繰り出された硬貨をベルトコンベア５６で搬送することができる。他方、回収処理時には、ベルトコンベア昇降駆動部５６Ｂで、所定の上側位置にある硬貨供給部５１に対してベルトコンベア５６を退避させることにより生じる配置スペースＳに、全金種用収容箱６５、または一括収容箱７３、または単金種用収容箱７５ａ〜７５ｆの選択された少なくとも一つを配置した状態で、硬貨供給部５１で硬貨を計数しつつ繰り出すと、繰り出された硬貨を、全金種用収容箱６５、または一括収容箱７３、または単金種用収容箱７５ａ〜７５ｆの選択された少なくとも一つに収容することができる。よって、硬貨供給部５１からベルトコンベア５６に硬貨を受け渡す第１の出金処理と、硬貨供給部５１から全金種用収容箱６５、または一括収容箱７３、または単金種用収容箱７５ａ〜７５ｆの選択された少なくとも一つに硬貨を受け渡す回収処理とで、ベルトコンベア５６と、全金種用収容箱６５、または一括収容箱７３、または単金種用収容箱７５ａ〜７５ｆの選択された少なくとも一つとの配置用のスペースを共用できる。また、同じ位置の硬貨供給部５１の繰り出し先に対して、ベルトコンベア５６の配置と、全金種用収容箱６５、または一括収容箱７３、または単金種用収容箱７５ａ〜７５ｆの選択された少なくとも一つの配置とを切り替えることから、いずれの取引処理も搬送距離が長くならず、また、搬送ルートも複雑にならない。したがって、出金処理および回収処理を可能としつつ、機体の小型化、処理時間の短縮化および低コスト化が可能となる。
【００８８】
また、硬貨供給部５１のすべての計数繰出部５３ａ〜５３ｆから繰り出された硬貨を金種別に収容可能な単一の全金種用収容箱６５を用いた場合、全金種の硬貨を金種別に単一の全金種用収容箱６５に収容することができる。
【００８９】
また、硬貨供給部５１のすべての計数繰出部５３ａ〜５３ｆから繰り出された硬貨を金種混合で収容可能な単一の一括収容箱７３を用いた場合、全金種の硬貨を金種混合で一括収容箱７３に収容することができる。
【００９０】
また、硬貨供給部５１の計数繰出部５３ａ〜５３ｆのうち所定の一金種用の計数繰出部から繰り出された硬貨のみを収容可能な単金種用収容箱で７５ａ〜７５ｆを少なくとも一つ用いた場合、所望の少なくとも一金種の硬貨のみをこの金種数と同数の単金種用収容箱に収容することができる。
【００９１】
また、ベルトコンベア昇降駆動部５６Ｂが、ベルトコンベア５６を昇降させることになるため、硬貨供給部５１から全金種用収容箱６５、または一括収容箱７３、または単金種用収容箱７５ａ〜７５ｆの選択された少なくとも一つに硬貨を受け渡す回収処理では使用されないベルトコンベア５６上にある硬貨搬送用のスペースにベルトコンベア５６を退避させることで、全金種用収容箱６５、または一括収容箱７３、または単金種用収容箱７５ａ〜７５ｆの選択された少なくとも一つを配置する配置スペースを確保する。よって、スペース効率をさらに向上でき、さらなる機体の小型化が図れる。また、比較的小型・軽量のベルトコンベア５６を昇降させることになることから、ベルトコンベア昇降駆動部５６Ｂを小型化および低コスト化することができる。
【００９２】
また、全金種用収容箱６５、または一括収容箱７３、または単金種用収容箱７５ａ〜７５ｆの選択された少なくとも一つの配置スペースＳへの配置状態を検知する、載置台検知センサ８２、全金種用収容箱検知センサ８３、一括収容箱検知センサ８４および単金種用収容箱検知センサ８５ａ〜８５ｆが設けられているため、載置台検知センサ８２、全金種用収容箱検知センサ８３、一括収容箱検知センサ８４および単金種用収容箱検知センサ８５ａ〜８５ｆで配置スペースＳへの全金種用収容箱６５、または一括収容箱７３、または単金種用収容箱７５ａ〜７５ｆの選択された少なくとも一つの配置が確認されると、硬貨供給部５１から全金種用収容箱６５、または一括収容箱７３、または単金種用収容箱７５ａ〜７５ｆの選択された少なくとも一つに硬貨を受け渡す回収処理を許容する等の制御が可能となる。
【００９３】
また、制御部６０が、セット金種の回収処理において、単金種用収容箱７５ａ〜７５ｆのうち配置スペースＳへの配置が、載置台検知センサ８２および単金種用収容箱検知センサ８５ａ〜８５ｆで検知された金種のみ硬貨供給部５１から硬貨を繰り出すことになるため、配置スペースへ単金種用収容箱が配置されていない金種の硬貨が硬貨供給部５１から繰り出されてしまうことを防止できる。
【００９４】
また、制御部６０が、指定金種の回収処理において、単金種用収容箱７５ａ〜７５ｆのうち指定された金種用の単金種用収容箱の配置スペースＳへの配置が載置台検知センサ８２および単金種用収容箱検知センサ８５ａ〜８５ｆで検知された場合に硬貨供給部５１から指定された金種の硬貨の繰り出しを行う一方、単金種用収容箱７５ａ〜７５ｆのうち指定された金種の硬貨用の単金種用収容箱の配置スペースＳへの配置が載置台検知センサ８２および単金種用収容箱検知センサ８５ａ〜８５ｆで検知されない場合に硬貨供給部５１から指定された金種の硬貨の繰り出しを禁止してアラームを発生させるため、配置スペースＳへ単金種用収容箱が配置されていない金種の硬貨が硬貨供給部５１から繰り出されてしまうことを防止できる上、必要な金種の硬貨用の単金種用収容箱が配置スペースＳに配置されていないことを報知できる。
【００９５】
また、全金種用収容箱６５の配置スペースＳへの配置時に受入口６４ａ〜６４ｆを開放し全金種用収容箱６５の配置スペースＳからの取り外し時に受入口６４ａ〜６４ｆを閉塞するシャッタと、一括収容箱７３の配置スペースＳへの配置時に受入口７２を開放し一括収容箱７３の配置スペースＳからの取り外し時に受入口７２を閉塞するシャッタと、単金種用収容箱７５ａ〜７５ｆの配置スペースＳへの配置時に受入口７４ａ〜７４ｆを開放し単金種用収容箱７５ａ〜７５ｆの配置スペースＳからの取り外し時に受入口７４ａ〜７４ｆを閉塞する個別のシャッタとを有するため、全金種用収容箱６５、一括収容箱７３および単金種用収容箱７５ａ〜７５ｆは、硬貨処理機１からの取り出し後、硬貨が無用に取り出されることを防止できる。
【００９６】
「第２実施形態」
次に、本発明の第２実施形態に係る硬貨処理機を主に図２９〜図３１と上記した図２および図２０〜図２３とを参照して第１実施形態との相違部分を中心に以下に説明する。なお、第１実施形態と同様の部分には同一の符号を付しその説明は略す。
【００９７】
第２実施形態においては、第１実施形態のベルトコンベア昇降駆動部は設けられておらず、ベルトコンベア５６は、位置が固定となっている。そして、図２９および図３０に示すように、ゲート５５が、硬貨供給部５１に対し揺動可能な状態のまま、硬貨供給部５１と一体に昇降するようになっている。硬貨供給部５１は、硬貨供給部駆動部（移動退避手段）５１Ａで、図２９に示す下側位置と図３０に示す上側位置との間の、図３１に示す所定の中間位置に移動させられると、計数繰出部５３ａ〜５３ｆから、第２の案内状態にあるゲート５５を介してベルトコンベア５６よりも下側に硬貨を繰り出すようになっている。言い換えれば、硬貨供給部駆動部５１Ａは、ベルトコンベア５６を硬貨供給部５１に対して相対的に移動させて退避させることになり、位置一定のベルトコンベア５６に対して硬貨供給部５１を所定の中間位置（退避位置）まで下降させることでベルトコンベア５６を硬貨供給部５１から退避させる。
【００９８】
そして、一定位置にあるベルトコンベア５６に対して硬貨供給部５１が第２の案内状態にあるゲート５５とともに中間位置に移動すること、および貯留搬送部３５が第１の位置の位置にあることで生じるベルトコンベア５６の下側の配置スペースＳに、硬貨供給部５１の計数繰出部５３ａ〜５３ｆから繰り出され第２の案内状態にあるゲート５５で案内された硬貨を金種別に収容する第１実施形態と同様の全金種用収容箱６５が配置可能となっている。
【００９９】
つまり、図２０に示すように、配置スペースＳと位置を合わせた開口部６７には、開閉扉６６を開いた状態で、機外から、載置台６９上の設定位置に載置された状態で全金種用収容箱６５が挿入されることになり、載置台６９の前後端が硬貨処理機１の係止部７０に係止されることで全金種用収容箱６５が、中間位置にある硬貨供給部５１の計数繰出部５３ａ〜５３ｆから繰り出され第２の案内状態にあるゲート５５で案内された硬貨を収容可能に位置決めされる。
【０１００】
ここで、全金種用収容箱６５は、硬貨処理機１に位置決めされた状態で、中間位置にある硬貨供給部５１の計数繰出部５３ａ〜５３ｆから繰り出され第２の案内状態にあるゲート５５の案内部５５ａ〜５５ｆで案内された硬貨を、上方に開口する受入口６４ａ〜６４ｆから金種別に受け入れる。
【０１０１】
また、第２実施形態においても、載置台６９には、上記した全金種用収容箱６５とは別に、第１実施形態と同様の図２１に示す一括収容箱７３が載置可能となっている。一括収容箱７３は、硬貨処理機１に位置決めされた状態で、中間位置にある硬貨供給部５１の計数繰出部５３ａ〜５３ｆから繰り出され第２の案内状態にあるゲート５５のすべての案内部５５ａ〜５５ｆで案内される硬貨を受入口７２から受け入れる。
【０１０２】
また、載置台６９には、上記した全金種用収容箱６５および一括収容箱７３とは別に、第１実施形態と同様の図２２に示す金種別の単金種用収容箱７５ａ〜７５ｆが選択的に少なくとも一つ載置可能となっている。単金種用収容箱７５ａ〜７５ｆの載置台６９に載置されたものが、硬貨処理機１に位置決めされた状態で、中間位置にある硬貨供給部５１の計数繰出部５３ａ〜５３ｆの対応する金種のものから繰り出され第２の案内状態にあるゲート５５の案内部５５ａ〜５５ｆの対応する金種のもので案内される硬貨を受入口７４ａ〜７４ｆの対応するものを介して受け入れる。
【０１０３】
なお、第２実施形態においては、図３１に示すように、出金部５７と干渉しない位置まで配置スペースＳを下げることができるため、硬貨処理機１の前面側に、配置スペースＳと位置を合わせて、開閉扉６６で開閉される開口部６７を設けることも可能である。
【０１０４】
このような第２実施形態においては、硬貨供給部５１と一体に設けられたゲート５５は第２の案内状態を待機状態としており、第１実施形態に対して、「第１の出金処理」、「第２の出金処理」、「精査処理」、「金種別の回収処理」、  「金種混合の回収処理」、「指定金種の回収処理」および「セット金種の回収処理」の一部の制御が、以下のように相違することになる。
【０１０５】
「第１の出金処理」
操作表示部１１に、出金処理として、金額あるいは金種別の枚数が入力され、金種混合出金放出モードが選択入力されると、制御部６０は、ベルトコンベア搬送駆動部５６Ａによってベルトコンベア５６を駆動するとともに、硬貨供給部駆動部５１Ａによって、待機状態にあって下側位置に位置する硬貨供給部５１つまり出金収納部５２ａ〜５２ｆを、ゲート５５とともに、図３０に示すように、上側位置に移動させる。その後、制御部６０は、ゲート駆動部５５Ａによって、ゲート５５を揺動させて第１の案内状態として、第１実施形態と同様の第１の出金動作を行い、その終了後に、ゲート駆動部５５Ａによって、ゲート５５を揺動させて第２の案内状態とした後、硬貨供給部駆動部５１Ａによって、硬貨供給部５１を待機位置に戻す。
【０１０６】
「第２の出金処理」
操作表示部１１に、出金処理として、金額あるいは金種別の枚数が入力され、金種別出金放出モードが選択入力されると、制御部６０は、図２３に示すように、返却部４０に金種別出金箱４３が装着されたことを条件に、硬貨供給部駆動部５１Ａによって、硬貨供給部５１つまり出金収納部５２ａ〜５２ｆを、ゲート５５とともに、上側位置に移動させた後、第１実施形態と同様の第２の出金動作を行い、その終了後に、硬貨供給部駆動部５１Ａによって硬貨供給部５１をゲート５５とともに下側の待機位置に戻す。
【０１０７】
「精査処理」
操作表示部１１に、精査処理を行う旨の操作が入力されると、制御部６０は、硬貨供給部駆動部５１Ａによって、硬貨供給部５１つまり出金収納部５２ａ〜５２ｆを第２の案内状態にあるゲート５５とともに、上側位置に移動させた後、第１実施形態と同様の処理を行い、その終了後に、硬貨供給部駆動部５１Ａによって硬貨供給部５１をゲート５５とともに下側の待機位置に戻す。
【０１０８】
「金種別の回収処理」
操作表示部１１に、金種別の回収処理を行う旨の操作が入力されると、制御部６０は、硬貨供給部駆動部５１Ａによって、待機状態にあって下側位置に位置する硬貨供給部５１つまり出金収納部５２ａ〜５２ｆを、図３１に示すように、第２の案内状態にあるゲート５５とともに中間位置に移動させて、ベルトコンベア５６の下側の配置スペースＳに合わせる。
【０１０９】
その後、制御部６０は、載置台６９および全金種用収容箱６５が、図２０に示すように硬貨処理機１に位置決めされたことを条件に、中間位置に位置するすべての出金収納部５２ａ〜５２ｆから並行して、計数繰出部５３ａ〜５３ｆによってすべての硬貨を識別計数しつつゲート５５の案内部５５ａ〜５５ｆを介して全金種用収容箱６５の回収収容部６５ａ〜６５ｆに繰り出させる。
【０１１０】
そして、出金収納部５２ａ〜５２ｆからすべての硬貨が回収収容部６５ａ〜６５ｆに受け渡された後、硬貨処理機１から載置台６９および全金種用収容箱６５が取り出されて開閉扉６６が開口部６７で閉じられると、制御部６０は、硬貨供給部駆動部５１Ａによって、硬貨供給部５１をゲート５５とともに待機位置に戻す。
【０１１１】
「金種混合の回収処理」
操作表示部１１に、金種混合の回収処理を行う旨の操作が入力されると、制御部６０は、硬貨供給部駆動部５１Ａによって、待機状態にあって下側位置に位置する硬貨供給部５１つまり出金収納部５２ａ〜５２ｆを、図３１に示すように、第２の案内状態にあるゲート５５とともに中間位置に移動させてベルトコンベア５６の下側の配置スペースＳに合わせる。
【０１１２】
その後、制御部６０は、載置台６９および一括収容箱７３が、図２１に示すように硬貨処理機１に位置決めされたことを条件に、制御部６０は、中間位置に位置するすべての出金収納部５２ａ〜５２ｆから並行して、計数繰出部５３ａ〜５３ｆによってすべての硬貨を識別計数しつつゲート５５の案内部５５ａ〜５５ｆを介して一括収容箱７３に繰り出させる。
【０１１３】
そして、出金収納部５２ａ〜５２ｆからすべての硬貨が一括収容箱７３に受け渡された後、硬貨処理機１から載置台６９および一括収容箱７３が取り出されて開閉扉６６で開口部６７が閉じられると、制御部６０は、硬貨供給部駆動部５１Ａによって、硬貨供給部５１を待機位置に戻す。
【０１１４】
「指定金種の回収処理」
操作表示部１１に、指定金種の回収処理を行う旨の操作および回収の指定金種が入力されると、制御部６０は、硬貨供給部駆動部５１Ａによって、待機状態にあって下側位置に位置する硬貨供給部５１つまり出金収納部５２ａ〜５２ｆを、図３１に示すように、第２の案内状態にあるゲート５５とともに中間位置に移動させてベルトコンベア５６の下側の配置スペースＳに合わせる。
【０１１５】
その後、制御部６０は、載置台６９および単金種用収容箱７５ａ〜７５ｆのうち指定金種の単金種用収容箱のみが、図２２に示すように硬貨処理機１に位置決めされたことを条件に、中間位置に位置する出金収納部５２ａ〜５２ｆのうち指定金種の出金収納部のみから並行して、計数繰出部５３ａ〜５３ｆのうち指定金種の計数繰出部のみによってすべての硬貨を識別計数しつつ、第２の案内状態にあるゲート５５を介して単金種用収容箱７５ａ〜７５ｆのうち指定金種の単金種用収容箱に繰り出させる。
【０１１６】
そして、出金収納部５２ａ〜５２ｆのうち指定金種の出金収納部のみからすべての硬貨が、単金種用収容箱７５ａ〜７５ｆのうち指定金種の単金種用収容箱に受け渡された後、開閉扉６６が閉じられると、制御部６０は、硬貨供給部駆動部５１Ａによって、硬貨供給部５１を待機位置に戻す。
【０１１７】
「セット金種の回収処理」
操作表示部１１に、セット金種の回収処理を行う旨の操作が入力されると、制御部６０は、硬貨供給部駆動部５１Ａによって、待機状態にあって下側位置に位置する硬貨供給部５１つまり出金収納部５２ａ〜５２ｆを、図３１に示すように、第２の案内状態にあるゲート５５とともに中間位置に移動させてベルトコンベア５６の下側の配置スペースＳに合わせる。
【０１１８】
その後、制御部６０は、載置台６９および単金種用収容箱７５ａ〜７５ｆのうち任意の金種の単金種用収容箱のみが、図２２に示すように、硬貨処理機１に位置決めされたことを条件に、中間位置に位置する出金収納部５２ａ〜５２ｆのうち、単金種用収容箱検知センサ８５ａ〜８５ｆで単金種用収容箱のセットが検知されたセット金種の出金収納部のみから並行して、計数繰出部５３ａ〜５３ｆのうちセット金種の計数繰出部のみによってすべての硬貨を識別計数しつつ、第２の案内状態にあるゲート５５を介して単金種用収容箱７５ａ〜７５ｆのうちセット金種の単金種用収容箱に繰り出させる。
【０１１９】
そして、出金収納部５２ａ〜５２ｆのうちセット金種の出金収納部のみからすべての硬貨が、単金種用収容箱７５ａ〜７５ｆのうちセット金種の単金種用収容箱に受け渡された後、開閉扉６６が閉じられると、制御部６０は、硬貨供給部駆動部５１Ａによって、硬貨供給部５１を待機位置に戻す。
【０１２０】
以上に述べた第２実施形態の硬貨処理機１によれば、硬貨供給部駆動部５１Ａが、硬貨供給部５１を昇降させることになるため、硬貨供給部５１から全金種用収容箱６５、または一括収容箱７３、または単金種用収容箱７５ａ〜７５ｆの選択された少なくとも一つに硬貨を受け渡す回収処理では使用されないスペースがベルトコンベア５６の下側にある場合に、このスペースを配置スペースとして有効利用して、全金種用収容箱６５、または一括収容箱７３、または単金種用収容箱７５ａ〜７５ｆの選択された少なくとも一つを配置できる。
【０１２１】
また、回収処理にあたって、第１の出金処理、第２の出金処理および精査処理を行うために必要な硬貨供給部駆動部５１Ａで硬貨供給部５１を昇降させることになるため、小型化および低コスト化することができる。
【０１２２】
また、硬貨供給部５１に加えてゲート５５も昇降させることになるが、硬貨供給部５１にゲート５５を一体的に設けることで、硬貨供給部駆動部５１Ａの駆動力でゲート５５をも昇降させることができるため、ゲート５５を昇降するためのコスト増を抑制できる。
【０１２３】
「第３実施形態」
次に、本発明の第３実施形態に係る硬貨処理機を主に図３２〜図３７と上記した図２とを参照して第１実施形態との相違部分を中心に以下に説明する。なお、第１実施形態と同様の部分には同一の符号を付しその説明は略す。
【０１２４】
第３実施形態においては、ベルトコンベア昇降駆動部は設けられておらず、ベルトコンベア５６は、位置が固定となっている。そして、硬貨供給部５１は、硬貨供給部駆動部（移動退避手段）５１Ａで、図３２に示す下側位置と図３３に示す上側位置との間の、図３４に示す所定の中間位置に移動させられると、計数繰出部５３ａ〜５３ｆから、第１の案内状態にあるゲート（搬送手段）５５よりも下側において硬貨を繰り出すようになっている。言い換えれば、硬貨供給部駆動部５１Ａは、ゲート５５を硬貨供給部５１に対して相対的に移動させて退避させることになり、昇降しないゲート５５に対して硬貨供給部５１を所定の中間位置（退避位置）まで下降させることでゲート５５を硬貨供給部５１から退避させる。
【０１２５】
そして、一定位置にあるゲート５５に対して硬貨供給部５１が中間位置に移動すること、および貯留搬送部３５が第１の位置の位置にあることで生じるゲート５５の下側の配置スペースＳに、硬貨供給部５１の計数繰出部５３ａ〜５３ｆから繰り出された硬貨を収容する全金種用収容箱６５が配置可能となっている。
【０１２６】
つまり、図３５に示すように、配置スペースＳと位置を合わせた開口部６７には、開閉扉６６を開いた状態で、機外から、載置台６９上の設定位置に載置された状態で全金種用収容箱６５が挿入されることになり、載置台６９の前後端が硬貨処理機１の係止部７０に係止されることで全金種用収容箱６５が、中間位置にある硬貨供給部５１の計数繰出部５３ａ〜５３ｆから繰り出された硬貨を直接収容可能に位置決めされる。
【０１２７】
ここで、全金種用収容箱６５は、図３４および図３５に示すように、金種別の回収収容部６５ａ〜６５ｆの上部に、受入口６４ａ〜６４ｆを計数繰出部５３ａ〜５３ｆの対応するものに対向させる導入ガイド１００ａ〜１００ｆが設けられている。全金種用収容箱６５は、硬貨処理機１に位置決めされた状態で、中間位置にある硬貨供給部５１の計数繰出部５３ａ〜５３ｆから繰り出された硬貨を受入口６４ａ〜６４ｆから金種別に受け入れ導入ガイド１００ａ〜１００ｆで金種別に案内して金種別の回収収容部６５ａ〜６５ｆに収容する。
【０１２８】
また、第３実施形態においても、載置台６９には、上記した全金種用収容箱６５とは別に、硬貨供給部５１のすべての計数繰出部５３ａ〜５３ｆから繰り出された硬貨を金種混合で収容可能な図３６に示す単一の一括収容箱７３が載置可能となっている。この一括収容箱７３も、その上部に、単一の受入口７２をすべての計数繰出部５３ａ〜５３ｆに対向させる導入ガイド１０２が設けられている。
【０１２９】
また、第３実施形態においても、載置台６９には、上記した全金種用収容箱６５および一括収容箱７３とは別に、硬貨供給部５１の計数繰出部５３ａ〜５３ｆのうちの所定の一金種用の計数繰出部から繰り出された硬貨のみを収容可能な図３７に示す金種別の単金種用収容箱７５ａ〜７５ｆが選択的に少なくとも一つ載置可能となっている（図３７では、載置台６９にすべての単金種用収容箱７５ａ〜７５ｆを載置させた状態を示す）。これらの単金種用収容箱７５ａ〜７５ｆも、それぞれの上部に、受入口７４ａ〜７４ｆを計数繰出部５３ａ〜５３ｆのうちの対応するものに対向させる導入ガイド１０４ａ〜１０４ｆが設けられており、載置台６９における個別の載置位置にそれぞれ載置されるようになっている。
【０１３０】
このような第３実施形態においては、第１実施形態に対して、「金種別の回収処理」、  「金種混合の回収処理」、「指定金種の回収処理」および「セット金種の回収処理」の一部の制御が、以下のように相違することになる。
【０１３１】
「金種別の回収処理」
操作表示部１１に、金種別の回収処理を行う旨の操作が入力されると、制御部６０は、硬貨供給部駆動部５１Ａによって、待機状態にあって下側位置に位置する硬貨供給部５１つまり出金収納部５２ａ〜５２ｆを、図３４に示すように中間位置に移動させてゲート５５の下側の配置スペースＳに合わせる。なお、ゲート５５は揺動させない。
【０１３２】
その後、制御部６０は、載置台６９および全金種用収容箱６５が、図３５に示すように硬貨処理機１に位置決めされたことを条件に、中間位置に位置するすべての出金収納部５２ａ〜５２ｆから並行して、計数繰出部５３ａ〜５３ｆによってすべての硬貨を識別計数しつつ全金種用収容箱６５の回収収容部６５ａ〜６５ｆに繰り出させる。
【０１３３】
そして、出金収納部５２ａ〜５２ｆからすべての硬貨が回収収容部６５ａ〜６５ｆに受け渡された後、硬貨処理機１から載置台６９および全金種用収容箱６５が取り出されて開閉扉６６で開口部６７が閉じられると、制御部６０は、硬貨供給部駆動部５１Ａによって、硬貨供給部５１を待機位置に戻す。
【０１３４】
「金種混合の回収処理」
操作表示部１１に、金種混合の回収処理を行う旨の操作が入力されると、制御部６０は、硬貨供給部駆動部５１Ａによって、待機状態にあって下側位置に位置する硬貨供給部５１つまり出金収納部５２ａ〜５２ｆを、図３４に示すように中間位置に移動させてゲート５５の下側の配置スペースＳに合わせる。なお、ゲート５５は揺動させない。
【０１３５】
その後、制御部６０は、載置台６９および一括収容箱７３が、図３６に示すように硬貨処理機１に位置決めされたことを条件に、中間位置に位置するすべての出金収納部５２ａ〜５２ｆから並行して、計数繰出部５３ａ〜５３ｆによってすべての硬貨を識別計数しつつ一括収容箱７３に繰り出させる。
【０１３６】
そして、出金収納部５２ａ〜５２ｆからすべての硬貨が一括収容箱７３に受け渡された後、硬貨処理機１から載置台６９および一括収容箱７３が取り出されて開閉扉６６で開口部６７が閉じられると、制御部６０は、硬貨供給部駆動部５１Ａによって、硬貨供給部５１を待機位置に戻す。
【０１３７】
「指定金種の回収処理」
操作表示部１１に、指定金種の回収処理を行う旨の操作および回収の指定金種が入力されると、制御部６０は、硬貨供給部駆動部５１Ａによって、待機状態にあって下側位置に位置する硬貨供給部５１つまり出金収納部５２ａ〜５２ｆを、図３４に示すように中間位置に移動させてゲート５５の下側の配置スペースＳに合わせる。なお、ゲート５５は揺動させない。
【０１３８】
その後、制御部６０は、載置台６９および単金種用収容箱７５ａ〜７５ｆのうち指定金種の単金種用収容箱のみが、図３７に示すように硬貨処理機１に位置決めされたことを条件に、中間位置に位置する出金収納部５２ａ〜５２ｆのうち指定金種の出金収納部のみから並行して、計数繰出部５３ａ〜５３ｆのうち指定金種の計数繰出部のみによってすべての硬貨を識別計数しつつ単金種用収容箱７５ａ〜７５ｆのうち指定金種の単金種用収容箱に繰り出させる。
【０１３９】
そして、出金収納部５２ａ〜５２ｆのうち指定金種の出金収納部のみからすべての硬貨が、単金種用収容箱７５ａ〜７５ｆのうち指定金種の単金種用収容箱に受け渡された後、開閉扉６６が閉じられると、制御部６０は、硬貨供給部駆動部５１Ａによって、硬貨供給部５１を待機位置に戻す。
【０１４０】
「セット金種の回収処理」
操作表示部１１に、セット金種の回収処理を行う旨の操作が入力されると、制御部６０は、硬貨供給部駆動部５１Ａによって、待機状態にあって下側位置に位置する硬貨供給部５１つまり出金収納部５２ａ〜５２ｆを、図３４に示すように中間位置に移動させてゲート５５の下側の配置スペースＳに合わせる。なお、ゲート５５は揺動させない。
【０１４１】
その後、制御部６０は、載置台６９および単金種用収容箱７５ａ〜７５ｆのうち任意の金種の単金種用収容箱のみが、図３７に示すように硬貨処理機１に位置決めされたことを条件に、中間位置に位置する出金収納部５２ａ〜５２ｆのうち、単金種用収容箱検知センサ８５ａ〜８５ｆで単金種用収容箱のセットが検知されたセット金種の出金収納部のみから並行して、計数繰出部５３ａ〜５３ｆのうちセット金種の計数繰出部のみによってすべての硬貨を識別計数しつつ単金種用収容箱７５ａ〜７５ｆのうちセット金種の単金種用収容箱に繰り出させる。
【０１４２】
そして、出金収納部５２ａ〜５２ｆのうちセット金種の出金収納部のみからすべての硬貨が、単金種用収容箱７５ａ〜７５ｆのうちセット金種の単金種用収容箱に受け渡された後、開閉扉６６が閉じられると、制御部６０は、硬貨供給部駆動部５１Ａによって、硬貨供給部５１を待機位置に戻す。
【０１４３】
以上に述べた第３実施形態の硬貨処理機１によれば、硬貨供給部駆動部５１Ａが、硬貨供給部５１を昇降させることになるため、硬貨供給部５１から全金種用収容箱６５、または一括収容箱７３、または単金種用収容箱７５ａ〜７５ｆの選択された少なくとも一つに硬貨を受け渡す回収処理では使用されないスペースがゲート５５の下側にある場合に、このスペースを配置スペースとして有効利用して、全金種用収容箱６５、または一括収容箱７３、または単金種用収容箱７５ａ〜７５ｆの選択された少なくとも一つを配置できる。
【０１４４】
また、回収処理にあたって、第１の出金処理、第２の出金処理および精査処理を行うために必要な硬貨供給部駆動部５１Ａで硬貨供給部５１を昇降させることになるため、小型化および低コスト化することができる。
【符号の説明】
【０１４５】
１  硬貨処理機
５１  硬貨供給部（硬貨供給手段）
５１Ａ  硬貨供給部駆動部（移動退避手段）
５３ａ〜５３ｆ  計数繰出部（繰出部）
５５  ゲート（搬送手段）
５６  ベルトコンベア（搬送手段）
５６Ｂ  ベルトコンベア昇降駆動部（移動退避手段）
６０  制御部（制御手段）
６４ａ〜６４ｆ，７２，７４ａ〜７４ｆ  受入口
６５  全金種用収容箱（収容手段）
７３  一括収容箱（収容手段）
７５ａ〜７５ｆ  単金種用収容箱（収容手段）
Ｓ  配置スペース
８１  開閉扉検知センサ（検知手段）
８２  載置台検知センサ（検知手段）
８３  全金種用収容箱検知センサ（検知手段）
８４  一括収容箱検知センサ（検知手段）
８５ａ〜８５ｆ  単金種用収容箱検知センサ（検知手段）
【図１】
2010271912.tif 000003
【図２】
2010271912.tif 000004
【図３】
2010271912.tif 000005
【図４】
2010271912.tif 000006
【図５】
2010271912.tif 000007
【図６】
2010271912.tif 000008
【図７】
2010271912.tif 000009
【図８】
2010271912.tif 000010
【図９】
2010271912.tif 000011
【図１０】
2010271912.tif 000012
【図１１】
2010271912.tif 000013
【図１２】
2010271912.tif 000014
【図１３】
2010271912.tif 000015
【図１４】
2010271912.tif 000016
【図１５】
2010271912.tif 000017
【図１６】
2010271912.tif 000018
【図１７】
2010271912.tif 000019
【図１８】
2010271912.tif 000020
【図１９】
2010271912.tif 000021
【図２０】
2010271912.tif 000022
【図２１】
2010271912.tif 000023
【図２２】
2010271912.tif 000024
【図２３】
2010271912.tif 000025
【図２４】
2010271912.tif 000026
【図２５】
2010271912.tif 000027
【図２６】
2010271912.tif 000028
【図２７】
2010271912.tif 000029
【図２８】
2010271912.tif 000030
【図２９】
2010271912.tif 000031
【図３０】
2010271912.tif 000032
【図３１】
2010271912.tif 000033
【図３２】
2010271912.tif 000034
【図３３】
2010271912.tif 000035
【図３４】
2010271912.tif 000036
【図３５】
2010271912.tif 000037
【図３６】
2010271912.tif 000038
【図３７】
2010271912.tif 000039